(57)【特許請求の範囲】
【請求項１】
路車間通信を用いて基地局装置が提供するアプリケーションを受信する移動局装置において、
前記基地局装置から送信される周波数が所定の条件を満たすか否かを判定し、所定の条件を満たす周波数を前記基地局装置との通信に用いる周波数として選定する周波数選定手段と、
前記周波数選定手段によって選定された周波数に対応するアプリケーション情報をユーザに通知すると共に前記アプリケーションを起動するか否かの選択をユーザに要求する起動選択手段と、
ユーザの選択に応じて前記基地局装置と無線通信回線を介して接続し、ユーザがアプリケーションの起動を選択しなかった場合、前記基地局装置にアプリケーションが選択されなかったことを通知する通信接続手段と、
前記基地局装置から無線通信回線を介して提供されるアプリケーションを実現する処理手段と、
を具備する移動局装置。
【請求項２】
前記起動選択手段は、ユーザにアプリケーション起動の選択を要求するか否かを所定の条件に基づいて行う請求項１に記載の移動局装置。
【請求項３】
前記起動選択手段は、前記基地局装置との通信接続前に前記アプリケーションを起動するか否かの選択をユーザに要求する請求項１に記載の移動局装置。
【請求項４】
前記周波数選定手段は、複数の基地局装置から同時に送信された周波数のうち、所定の条件を満たす周波数を通信に用いる周波数として仮決定し、前記起動選択手段は、仮決定した周波数で提供されるアプリケーション情報をユーザに通知すると共に前記アプリケーションを起動するか否かの選択をユーザに要求する請求項１に記載の移動局装置。
【請求項５】
前記周波数選定手段は、複数の基地局装置から同時に送信される全ての周波数について所定の条件を満たすか否かを判定し、前記起動選択手段は、前記周波数選定手段によって所定の条件を満たすとして選定された周波数に対応する全てのアプリケーション情報をユーザに通知すると共に前記アプリケーションを起動するか否かの選択をユーザに要求する請求項１に記載の移動局装置。
【請求項６】
前記起動選択手段は、周波数毎に選択可能なアプリケーションをユーザに提示し、周波数の異なるアプリケーションを同時に選択できないことをユーザに通知する請求項５に記載の移動局装置。
【請求項７】
前記周波数選定手段は、前記基地局装置との強制的な無線通信接続を要求された場合、強制的な無線通信接続によって提供されるアプリケーションに対応する周波数を選定し、
前記通信接続手段は、前記周波数選定手段によって選定された周波数で前記基地局装置と通信接続を行う請求項１に記載の移動局装置。
【請求項８】
前記起動選択手段は、前記基地局装置との強制的な無線通信接続を要求されたか否かに関わらず、予めユーザにアプリケーションを選択させない請求項７に記載の移動局装置。
【請求項９】
前記基地局装置が提供するアプリケーションの詳細な情報を受信し、前記受信手段によって受信した前記アプリケーション詳細情報をユーザに通知すると共に前記アプリケーションを起動するか否かの選択をユーザに要求する請求項１から請求項６のいずれかに記載の移動局装置。
【請求項１０】
請求項３に記載の移動局装置からユーザがアプリケーションの起動を選択しなかった旨を通知された場合、前記移動局装置との通信接続を中止する基地局装置。
【請求項１１】
提供可能なアプリケーションの詳細な情報を前記移動局装置に提供する詳細情報提供手段を具備する請求項１０記載の基地局装置。
【請求項１２】
基地局装置と移動局装置とで路車間通信を行う路車間通信システムであって、
前記基地局装置は、
自装置の通信可能な範囲に滞留する前記移動局装置に無線通信回線を介してアプリケーションを提供し、
前記移動局装置は、
前記基地局装置から送信される周波数が所定の条件を満たすか否かを判定し、所定の条件を満たす周波数を前記基地局装置との通信に用いる周波数として選定する周波数選定手段と、
前記周波数選定手段によって選定された周波数に対応するアプリケーション情報をユーザに通知すると共に前記アプリケーションを起動するか否かの選択をユーザに要求する起動選択手段と、
ユーザの選択に応じて前記基地局装置と無線通信回線を介して接続し、ユーザがアプリケーションの起動を選択しなかった場合、前記基地局装置にアプリケーションが選択されなかったことを通知する通信接続手段と、
前記基地局装置から無線通信回線を介して提供されるアプリケーションを実現する処理手段と、
を具備する路車間通信システム。
【発明の詳細な説明】
【０００１】
【発明の属する技術分野】
本発明は、道路側に設けた基地局等の固定設備と路車間通信を行う移動局装置及び路車間通信システムに関する。
【０００２】
【従来の技術】
道路側に設けた基地局等の固定設備と車両間（以下、「路車間」という）の通信により提供される車両搭乗者向けサービスとして、ＥＴＣ（Electronic Toll Collection system）やＶＩＣＳ（Vehicle Information and Communication System）等が実現してきており、今後、この路車間の通信需要はますます増加する方向にある。
【０００３】
この路車間の通信方式の一例としては、ＥＴＣサービスの提供を中心に策定された「有料道路自動料金収受システム標準規格ＡＲＩＢ  ＳＴＤ−Ｔ５５  １．０版」（平成９年１１月２７日：社団法人  電波産業会にて標準規格策定）、並びに、ＳＴＤ−Ｔ５５を拡張及び上位包含し、自動料金収受以外の多様なサービスを実現する「狭域通信システム標準規格ＡＲＩＢ  ＳＴＤ−Ｔ７５  １．０版」（平成１３年９月６日：社団法人  電波産業会にて標準規格策定）が知られている。
【０００４】
ここで、多様なサービスとして考えられているものには、例えば、ハンバーガ店やレンタルビデオ店等の支払いを自動的に行う課金サービスや、広告サービス、運転支援情報の提供サービス等があり、それぞれのサービスは対応するアプリケーション（以下、単に「アプリ」という）によって実現することになる。
【０００５】
標準規格ＳＴＤ−Ｔ７５は、通信エリアを限定したスポット通信による路車間通信方式を定めたものであり、基地局から移動局への通信（以下、「下り通信」という）と移動局から基地局への通信（以下、「上り通信」という）とで異なる周波数を用い、通信フレームをスロットと呼ばれる固定長の区間に時分割した同期式時分割通信方式であるアダプティブスロッテドアロハ方式を採用している。通信は一つの基地局と複数の移動局との間で行われる。
【０００６】
ここで、アダプティブスロッテドアロハ方式の通信フレームを図３０に示す。通信スロットには複数の移動局と通信が行えるように、路車間でのデータ交換を行うためのＭＤＳ（Message Data Slot）が複数配置される。また、基地局が送信する通信フレームの構成情報や通信スロットの使用状況などを格納するＦＣＭＳ（Frame Control Message Slot）と、移動局が基地局に通信スロットの割り当てを要求するためのＡＣＴＳ（Activation Slot）とが配置される。図３０では、１つの通信フレームを４スロットで構成した場合を示しており、スロット１の下りチャネルはＦＣＭＳに、スロット２及びスロット３はデータ交換のためのＭＤＳに、スロット４の上りチャネルはＡＣＴＳにそれぞれ利用されている。
【０００７】
上記の通信フレームを用いて路車間通信を行う移動局は、自局に割り当てられた通信スロットのタイミングを判別するために、基地局が送信する通信フレームとの同期が必要になる。このため、前記路車間通信方式では、ＦＣＭＳのフレーム制御信号ＦＣＭＣ５（Frame Control Message Channel）に、他のスロットに配置される信号ＭＤＣ６（Message Data Channel）やＡＣＫＣ７（Acknowledge Channel）、ＡＣＴＣ８（Activation Channel）とは異なる同期信号パターンを多重し、通信フレームの時間基準としてＦＣＭＳのタイミングを識別できるようにしている。これにより、他のＭＤＣ６やＡＣＴＣ８はＦＣＭＣ５を時間基準として送受信される。またＦＣＭＣ５には、基地局が運用する無線チャネル、フレーム周期、自局に割り当てられたスロットタイミングなどのフレーム構成情報が多重されているので、移動局は通信フレームの再生が可能になる。また、図３０に示す通り、上り下り共に、ＭＤＣ６の受信確認信号（ＡＣＫＣ７）の送信は、受信したＭＤＣ６と同一の通信スロット期間内に行われる。
【０００８】
図３１は、ＦＣＭＣ５の詳細な構成を示す図である。この図において、ＦＩＤ９は、基地局を識別するための識別番号であり、ＳＣ１０は、基地局が提供するサービス情報を含むサービスアプリ情報であり、ＳＣＩ１１は、各スロットの割り当て情報である。
【０００９】
次に、ＳＣ１０の詳細な構成を図３２に示す。図３２において、ＩＭＩ１２は、ＦＣＭＣ５を送信した基地局との通信初期の接続手順を示すイニシャリゼーション識別フィールドである。ＡＰＩ１３は、基地局が提供可能なアプリを示すアプリ識別子である。図３３は、ＡＰＩ１３の詳細な構成を示す。この図において、ＡＩＤ表示領域１５は、アプリ種別を示すアプリ種別識別子（ＡＩＤ）の表示領域を示し、基地局はこの領域に最大４つの提供可能なＡＩＤを提示することができる。
【００１０】
次に、ＳＣＩ１１の詳細な構成を図３４に示す。この図において、ＳＣＩ１１−１〜１１−８はスロット割り当て情報であり、ＣＩ１２−１〜１２−８は各スロットの制御情報である。また、ＬＩＤ１３−１〜１３−８はスロット割り付けの対象となる移動局の識別番号である。例えば、ＳＣＩ１１−１は図３０に示した下り通信スロットの情報を、ＳＣＩ１１−２は上り通信スロットの情報を、ＳＣＩ１１−３はリンク要求を行うスロットの情報をそれぞれ示すというように、ＳＣＩ１１−１〜１１−８は通信スロット毎に割り当てられている。図３０に示した例では、通信スロットが３つの場合であるため、ＳＣＩ１１−４からＳＣＩ１１−８の情報は無効となる。
【００１１】
次に、ＣＩ１２−１〜１２−８の詳細な構成を図３５に示す。この図において、ＣＩ１８は割り付けたスロットがＭＤＣ６だった場合の制御情報（ＳＣＩ１１−１又はＳＣＩ１１−２）を示している。ＣＩ１８において、ＳＩ１４は、対応する通信スロットのＭＤＣ６、ＡＣＴＣ８などの種別を示すスロット識別子であり、ＤＲＩ１５は、ＭＤＣ６のデータ伝送速度及び変調方式を識別する伝送速度識別子である。ＳＴ１６は、ＭＤＣ６が割り付け済か、空きか等の割り付け状況を示す信号種別識別子であり、ＤＲ１７は、ＭＤＣ６の転送方向を指示する通信方向識別子である。図３４、図３５に示されるように、ＳＣＩ１１はＣＩ１２−１〜１２−８とＬＩＤ１３−１〜１３−８から構成され、基地局が通信する移動局の指定ならびに通信方向、割り付けたスロットの種類等を指定する。つまり、ＣＩ１８において、指定したスロットが下り通信か、あるいは上り通信かの指定、及びそのスロットがＭＤＳなのか、あるいはＡＣＴＳなのかの指定を行う。さらに、ＬＩＤ１３−１〜１３−８において、基地局が通信する相手となる移動局を指定する。一方、ＦＣＭＣ５を受信した移動局では、ＳＣＩ１１に自局のプライベートリンクアドレスと一致するＬＩＤがあれば、そのスロットは自局に割り当てられたものとして、送信あるいは受信を行う。その際に、ＣＩ１８からそのスロットにて上り通信を行うのか、下り通信を行うのかを判別する。また、受信したＦＣＭＣ５内のＳＣＩ１１に自局が受信すべき一斉同報リンクアドレス、グループ同報リンクアドレスに対応するＬＩＤがあれば、そのスロットは受信すべきＭＤＳと認識して受信処理を行う。
【００１２】
ＬＩＤは、移動局が基地局の通信エリアに進入したときに、この基地局にリンク要求を行うためのＡＣＴＣ８に含めて送信する。ＡＣＴＣ８は移動局が基地局との通信開始に先立って、基地局に対してリンクを要求するチャネルである。図３６にＡＣＴＣ８の詳細な構成を示す。この図において、ＦＩＤ１９はリンクを要求する相手先基地局の識別番号である。ＬＩＤ２０は移動局自身の識別番号である。基地局はＡＣＴＣ８を受信することによって、自局の通信エリアに進入してきた移動局のＬＩＤ２０を認識することができるので、その後はＬＩＤ２０を指定することによって、移動局に対して通信スロットの割り付けが可能となる。
【００１３】
上述した狭域通信システム標準規格ＳＴＤ−Ｔ７５を実装した路車間通信システムの基地局２１の概略構成を図３７に、移動局２６の概略構成を図３８に、それぞれ示す。まず、基地局２１の概略構成について図３７を用いて説明する。この図において、基地局アプリ処理部２２は、無線通信によって送受信されるデータを処理し、アプリを実現する。基地局通信接続部２３は、通信初期の接続時に移動局２６との通信回線の確立を行う。基地局データ転送部２４は、基地局変復調部２５を制御し、移動局２６とアプリデータの送受を行う。基地局変復調部２５は、基地局通信接続部２３や基地局データ転送部２４の指示に基づいて移動局２６と無線通信を行う。
【００１４】
次に、移動局２６の概略構成について図３８を用いて説明する。この図において、移動局アプリ処理部２７は、無線通信によって送受信されるデータを処理し、アプリを実現する。移動局通信接続部２８は、通信初期の接続時に基地局２１との通信回線を確立する。移動局データ転送部２９は、移動局変復調部３０を制御し、基地局２１とアプリデータの送受を行う。移動局変復調部３０は、移動局通信接続部２８や移動局データ転送部２９の指示に基づいて基地局２１と無線通信を行う。通信周波数選定部３１は、移動局通信接続部２８の指示に従って周波数の選定を行う。インタフェース装置３２は、移動局２６と図示せぬ外部機器とのデータの送受を行う。
【００１５】
図３９は、従来の移動局２６の電源投入時の動作を示すシーケンス図である。ステップ（以下、「ＳＴ」という）４１では、ユーザがインタフェース装置３２を介して移動局の電源を投入する。ＳＴ４２では、インタフェース装置３２が移動局アプリ処理部２７に対して移動局２６の起動を要求する。
【００１６】
ＳＴ４３では、起動要求が通知された移動局アプリ処理部２７が、移動局２６で実行可能なアプリのリストを移動局通信接続部２８に通知する。ＳＴ４４では、移動局アプリ処理部２７からアプリリストを通知された移動局通信接続部２８が、通知されたアプリリストを記憶し、ＳＴ４５では、通信周波数選定部３１に対して周波数選定動作の起動を要求する。ＳＴ４６では、周波数選定動作の起動を要求された通信周波数選定部３１が、周波数選定動作を開始する。
【００１７】
図４０は、通信周波数選定部３１の周波数選定動作を示すフロー図である。移動局２６が路車間通信で使用可能な周波数には番号が割り当てられており、番号は１から順に付けられている。この周波数、番号がそれぞれ対応付けられているものが、周波数リストである。図４０では、ｋ番目の周波数をＦkで表し、利用可能な周波数の数をＮとした場合、ｋを１，２，３，…，Ｎの順に１つづつ変えて周波数の調査（スキャン）、すなわち、各周波数が所定の選定基準を満たすか否かの判定を行うことを示している。また、Ｆkｃｏｕｎｔはｋ番目の周波数Ｆkにおいて同一のＦＩＤ９を有するＦＣＭＣ５を何回受信できたかをカウントした値を示しており、Ｆk＿ＦＩＤはＦkにおいて、過去に受信したＦＣＭＣ５のＦＩＤ９の履歴を保存する配列構造のテーブルである。図４０に示すように、通信周波数選定部３１は予め決定された順番（周波数リスト）に従い、周波数をスキャンし、所定時間内に一定受信レベル以上の同一のＦＩＤ９を有するＦＣＭＣ５を所定の回数受信した場合に、その周波数を通信に用いる周波数（以下、「通信周波数」という）として決定する。以下に、具体的な選定動作について説明する。
【００１８】
ＳＴ５１では、Ｆkｃｏｕｎｔを「０」に設定し、ＳＴ５２では、Ｆk＿ＦＩＤリストを初期化し、保存していたＦＩＤ９の履歴を消去する。ＳＴ５３では、ｋを「１」に設定し、ＳＴ５４では、通信周波数選定部３１が移動局変復調部３０に周波数Ｆkを設定する。ＳＴ５５では、通信周波数選定部３１に内蔵されているタイマーを所定時間設定し、タイマーをスタートする。ＳＴ５６では、移動局変復調部３０が受信した信号（周波数Ｆk）の受信レベルを測定し、通信周波数選定部３１に測定結果を通知する。ＳＴ５７では、ＳＴ５６において測定した受信レベルと所定の閾値との閾値判定を通信周波数選定部３１が行う。受信レベルが所定の閾値以上のとき、ＳＴ５８に移行し、受信レベルが所定の閾値未満のとき、ＳＴ６２に移行する。ＳＴ５８では、ＦＣＭＣ５の受信に成功したか否かが判定され、成功したと判定されたとき、ＳＴ５９に移行し、成功しなかったと判定されたとき、ＳＴ６２に移行する。ＳＴ５９では、Ｆk＿ＦＩＤリストにＳＴ５８において受信したＦＣＭＣ５に含まれるＦＩＤ９が存在するか否かが判定される。Ｆk＿ＦＩＤリストに存在すると判定されたとき、ＳＴ６０に移行し、存在しないと判定されたとき、ＳＴ６１に移行する。ＳＴ６０では、Ｆkｃｏｕｎｔをインクリメントし、ＳＴ６２に移行する。ＳＴ６１では、ＳＴ５９においてＦk＿ＦＩＤリストに存在しないと判定されたＦＩＤ９をリストに登録する。
【００１９】
ＳＴ６２では、Ｆkｃｏｕｎｔが設定値を超えるか否かが判定され、超えると判定されたとき、ＳＴ６３に移行し、超えないと判定されたとき、ＳＴ６４に移行する。ＳＴ６３では、ＳＴ６２において設定値を超えると判定されたＦkｃｏｕｎｔの対象となったＦkを通信周波数として決定する。
【００２０】
ＳＴ６４では、タイムアウトか否かが判定され、タイムアウトと判定されたとき、ＳＴ６５に移行し、タイムアウトと判定されなかったとき、ＳＴ５６に戻る。ＳＴ６５では、ｋをインクリメントし、ＳＴ６６において、ｋがＮを超えるか否かが判定される。ｋがＮを超えると判定されたとき、ＳＴ５３に戻り、ｋがＮを超えないと判定されたとき、ＳＴ５４に戻る。
【００２１】
次に、図４１及び図４２は、従来の路車間通信における周波数選定後の通信接続手順を示すシーケンス図であり、標準規格ＳＴＤ−Ｔ７５で規定されているものである。なお、図４１及び図４２は、一連の通信接続手順を２図に渡って記載したものであり、１から５はそれぞれ対応するものである。
【００２２】
図４１において、ＳＴ７１では、移動局２６の移動に伴って、基地局２１がカバーする通信エリアに侵入すると、通信周波数選定部３１が、周波数選定中に受信したＦＣＭＣ５内に格納されたＡＰＩ１３の情報と決定した通信周波数とを移動局通信接続部２８に通知する。ＳＴ７２では、移動局通信接続部２８が、通信周波数決定通知と共に取得したＡＰＩ１３内に格納されたＡＩＤを抽出し、移動局の電源投入時に記憶、保持していた移動局アプリ処理部２７が実施可能なアプリリストと抽出したＡＩＤが示すアプリ情報とを比較照合する。比較の結果、一致するＡＩＤが存在しないとき、移動局通信接続部２８は、通信接続手順を中止し、通信周波数選定部３１に周波数選定動作を起動するよう指示する。一致するＡＩＤが存在する場合、通信接続手順を継続し、ＳＴ７３に移行する。ＳＴ７３では、移動局通信接続部２８が、自局のＬＩＤとともに移動局変復調部３０に基地局２１との通信接続要求を指示する。ＳＴ７４では、通信接続要求を指示された移動局変復調部３０が、基地局２１にリンク要求を行うため、ＡＣＴＣ８に自局のＬＩＤ２０を格納して送信する。
【００２３】
図４２において、ＳＴ７５では、移動局２６からＡＣＴＣ８を受信した基地局変復調部２５が、リンク要求があったことを移動局２６のＬＩＤ２０と共に基地局通信接続部２３に通知する。
【００２４】
ＳＴ７６では、ＬＩＤ２０と共にリンク要求を取得した基地局通信接続部２３が、基地局アプリ処理部２２が実行可能なアプリリスト等を包含するビーコンサービステーブル（以下、「ＢＳＴ」という）データを生成する。ＳＴ７７では、基地局通信接続部２３が基地局データ転送部２４に生成したＢＳＴデータパケットを移動局２６へ転送するため、ＢＳＴデータを通知すると共に転送要求を行う。
【００２５】
ＳＴ７８では、ＢＳＴデータの転送要求を受けた基地局データ転送部２４が、ＢＳＴデータのレスポンス付きデータ転送（ＢＳＴデータのダウンリンク割り付け、及び、ＢＳＴレスポンスのためのアップリンク割り付け）を基地局変復調部２５に要求する。
【００２６】
ＳＴ７９では、基地局変復調部２５がＢＳＴデータを送信するための空き通信スロットに移動局ＬＩＤと共に下りＭＤＣ６を割り付ける。
【００２７】
ＳＴ８０では、基地局２１がＦＣＭＣ５内のＳＣＩ１１−１に移動局２６を示すＬＩＤ１３−１を格納し、移動局変復調部３０に通知する。ＳＴ８１では、移動局変復調部３０がＦＣＭＣ５内のＳＣＩ１１−１に格納されたＬＩＤ１３−１によって自局の識別番号を認識し、ＳＣＩ１１−１に対応するＭＤＳにおいてＭＤＣ６（ＢＳＴ）を受信する。図４１において、ＳＴ８２では、移動局変復調部３０が、ＬＩＤ１３−１により自局の識別番号を認識することにより、ＡＣＴＣ８による基地局２１への通信接続要求が受信されたことを認識し、接続要求成功のステータスを移動局通信接続部２８に通知する。
【００２８】
図４２において、ＳＴ８３では、移動局変復調部３０が受信したＭＤＣ６と同一の通信スロット（ＭＤＳ）期間内にＡＣＫＣ７を返送し、移動局変復調部３０からＡＣＫＣ７を正常受信した基地局変復調部２５が移動局２６からのレスポンス用に空き通信スロットに移動局２６のＬＩＤと共に上りＭＤＣ６を割り付ける。
【００２９】
図４１において、ＳＴ８４では、移動局変復調部３０が移動局データ転送部２９にレスポンス要求を行うと共にＢＳＴデータを転送し、ＳＴ８５では、移動局データ転送部２９が移動局通信接続部２８にレスポンス要求を行うと共にＢＳＴデータを転送する。
【００３０】
ＳＴ８６では、ＢＳＴデータを取得した移動局通信接続部２８が、ＢＳＴ内にあるアプリリストと記憶しているアプリとを比較照合する。ＳＴ８７では、ＳＴ８６で対応するアプリがあるとき、そのアプリの起動を移動局アプリ処理部２７に要求する。
【００３１】
ＳＴ８８では、移動局アプリ処理部２７がＳＴ８７において移動局通信接続部２８から起動要求されたアプリを起動する。
【００３２】
ＳＴ８９では、ＳＴ８８と並行して、移動局通信接続部２８が、ＢＳＴに対応するビークルサービステーブル（以下、「ＶＳＴ」という）データを生成する。具体的には、受信したＢＳＴ内にあるアプリリストのうち、移動局アプリ処理部２７が実施可能なアプリの詳細な情報等をＶＳＴに入れる。
【００３３】
ＳＴ９０では、移動局通信接続部２８が移動局データ転送部２９にＢＳＴのレスポンスとしてＶＳＴの転送要求を行い、ＳＴ９１では、移動局データ転送部２９が移動局変復調部３０にＶＳＴの転送要求を行う。
【００３４】
図４２において、ＳＴ９２では、例えば、ＦＣＭＣ５内のＳＣＩ１１−１に上りＭＤＣ６を割り付けられた場合、移動局変復調部３０はＦＣＭＣ５内のＳＣＩ１１−１に格納されたＬＩＤ１３−１から自局の識別番号を認識する。図４１において、ＳＴ９３では、ＳＣＩ１１−１に対応するＭＤＳにおいてＶＳＴデータをＭＤＣ６として送信する。
【００３５】
図４２において、ＳＴ９４では、ＶＳＴデータを受信した基地局変復調部２５がＶＳＴデータをＢＳＴデータのレスポンスとして、基地局データ転送部２４に転送する。ＳＴ９５では、基地局データ転送部２４が基地局通信接続部２３にＶＳＴデータを転送する。ＳＴ９６では、基地局通信接続部２３がＶＳＴで要求されたアプリを基地局アプリ処理部２２に対して起動要求する。ＳＴ９７では、基地局アプリ処理部２２が基地局通信接続部２３から起動を要求されたアプリを起動する。
【００３６】
このように、従来においては、上述した手順で基地局２１と移動局２６との間で通信接続動作が行われ、また、基地局２１及び移動局２６でのアプリ選択、起動が行われていた。
【００３７】
【発明が解決しようとする課題】
上記従来の標準規格ＳＴＤ−Ｔ７５をそのまま用いた場合、アプリの使用可否をユーザが選択できる機会を設けられたとしても、移動局の電源投入時と通信接続後（移動局、基地局のアプリ起動後）のタイミングしかなく、サービスの提供エリアに進入した移動局は、そのエリアに実施可能なアプリが存在する場合、ユーザは、そのサービスを享受するか否かの意思とは無関係に通信接続動作、及び、サービスを享受してしまうという問題点がある。
【００３８】
また、上記従来の技術によれば、移動局は周波数を選定する際、予め設定されている周波数リストの番号順に、一定時間内に一定受信レベル以上の同一ＦＩＤのＦＣＭＣを一定回数受信するという条件を満たすか否かの周波数スキャンが行われる。上記の条件を最初に満たした周波数が決定され、その周波数選定動作はユーザの所望するアプリとは無関係に行われる。例えば、同一エリア内に複数の基地局（例えば基地局Ａ、基地局Ｂ）が異なる周波数（例えばＦａ、Ｆｂ）でサービスを実施しており、周波数リストの上位にＦａがあり、下位にＦｂがあるとする。ユーザの所望するサービスが基地局Ｂ（周波数Ｆｂ）にしかない場合でも、従来技術では基地局Ａの周波数Ｆａが上記条件を満たしてしまうと、ユーザは基地局Ｂのサービスを享受することができないと言う問題点がある。
【００３９】
本発明はかかる点に鑑みてなされたものであり、サービスの提供エリアに移動局が進入したとき、ユーザが所望するアプリを選択することができる移動局装置及び路車間通信システムを提供することを目的とする。
【００４０】
【課題を解決するための手段】
かかる課題を解決するため、本発明の移動局装置は、路車間通信を用いて基地局装置が提供するアプリケーションを受信する移動局装置において、前記基地局装置から送信される周波数が所定の条件を満たすか否かを判定し、所定の条件を満たす周波数を前記基地局装置との通信に用いる周波数として選定する周波数選定手段と、前記周波数選定手段によって選定された周波数に対応するアプリケーション情報をユーザに通知すると共に前記アプリケーションを起動するか否かの選択をユーザに要求する起動選択手段と、ユーザの選択に応じて前記基地局装置と無線通信回線を介して接続し、ユーザがアプリケーションの起動を選択しなかった場合、前記基地局装置にアプリケーションが選択されなかったことを通知する通信接続手段と、前記基地局装置から無線通信回線を介して提供されるアプリケーションを実現する処理手段と、を具備する構成を採る。
【００４１】
この構成によれば、ユーザの選択に応じて基地局装置と無線通信回線を接続し、この回線を介して基地局装置から提供されるアプリケーションを実現することより、ユーザによって選択されたアプリケーションを実施することができる。また、基地局装置にアプリケーションが選択されなかったことを通知することにより、例えば、基地局装置は移動局装置との通信接続を行わなくてよく、これにより、通信接続に係る基地局装置の処理負担を軽減することができる。
【００４２】
本発明の移動局装置は、前記起動選択手段が、ユーザにアプリケーション起動の選択を要求するか否かを所定の条件に基づいて行う構成を採る。
【００４３】
この構成によれば、ユーザにアプリケーション起動の選択を要求するか否かをユーザの都合やその他の状況に応じて行うことができる。
【００４４】
本発明の移動局装置は、前記起動選択手段が、前記基地局装置との通信接続前に前記アプリケーションを起動するか否かの選択をユーザに要求する構成を採る。
【００４５】
この構成によれば、基地局装置との通信接続前にユーザにアプリケーションの選択を行わせることにより、例えば、ユーザがアプリケーションを選択しなかった場合には、基地局装置との通信接続を行わなくてよく、これにより、通信接続に係る移動局装置の処理負担を軽減することができる。
【００４８】
本発明の移動局装置は、前記周波数選定手段が、複数の基地局装置から同時に送信された周波数のうち、所定の条件を満たす周波数を通信に用いる周波数として仮決定し、前記起動選択手段が、仮決定した周波数で提供されるアプリケーション情報をユーザに通知すると共に前記アプリケーションを起動するか否かの選択をユーザに要求する構成を採る。
【００４９】
この構成によれば、仮決定した周波数で提供されるアプリケーションをユーザが選択することにより、仮決定した周波数を通信周波数として用いることになり、仮決定した周波数で提供されるアプリケーションをユーザが選択しないと、所定の条件を満たす他の周波数を仮決定することになるので、複数の基地局から同時に提供されるアプリケーションの中からユーザは選択することができる。
【００５０】
本発明の移動局装置は、前記周波数選定手段が、複数の基地局装置から同時に送信される全ての周波数について所定の条件を満たすか否かを判定し、前記起動選択手段が、前記周波数選定手段によって所定の条件を満たすとして選定された周波数に対応する全てのアプリケーション情報をユーザに通知すると共に前記アプリケーションを起動するか否かの選択をユーザに要求する構成を採る。
【００５１】
この構成によれば、複数の基地局装置から同時に送信され、所定の条件を満たす周波数で提供される全てのアプリケーションをユーザに同時に通知することにより、ユーザは選択可能なアプリケーションの中から所望するアプリケーションを選択することができる。
【００５２】
本発明の移動局装置は、前記起動選択手段が、周波数毎に選択可能なアプリケーションをユーザに提示し、周波数の異なるアプリケーションを同時に選択できないことをユーザに通知する構成を採る。
【００５３】
この構成によれば、ユーザは同時に提供されるアプリケーションしか選択することができず、無駄な選択動作を減少させることができる。
【００５４】
本発明の移動局装置は、前記周波数選定手段が、前記基地局装置との強制的な無線通信接続を要求された場合、強制的な無線通信接続によって提供されるアプリケーションに対応する周波数を選定し、前記通信接続手段は、前記周波数選定手段によって選定された周波数で前記基地局装置と通信接続を行う構成を採る。
【００５５】
この構成によれば、基地局装置との強制的な無線通信接続を要求された場合、ユーザにアプリケーションを選択させないで、基地局装置が緊急に通知するアプリケーションを提供することができる。
【００５６】
本発明の移動局装置は、前記起動選択手段が、前記基地局装置との強制的な無線通信接続を要求されたか否かに関わらず、予めユーザにアプリケーションを選択させない構成を採る。
【００５７】
この構成によれば、ユーザは、従来同様の通信接続手順、すなわち、ユーザのアプリケーション選択なしを事前に設定することができる。
【００５８】
本発明の移動局装置は、前記基地局装置が提供するアプリケーションの詳細な情報を受信し、前記受信手段によって受信した前記アプリケーション詳細情報をユーザに通知すると共に前記アプリケーションを起動するか否かの選択をユーザに要求する構成を採る。
【００５９】
この構成によれば、ユーザはアプリケーション詳細情報、すなわち、アプリケーションの具体的な内容に基づいてアプリケーションを選択することができる。
【００６０】
本発明の基地局装置は、上記の移動局装置からユーザがアプリケーションの起動を選択しなかった旨を通知された場合、前記移動局装置との通信接続を中止する構成を採る。
【００６１】
この構成によれば、基地局装置にアプリケーションが選択されなかったことを通知され、基地局装置は移動局装置との通信接続を行わないので、通信接続に係る基地局装置の処理負担を軽減することができる。
【００６２】
本発明の基地局装置は、提供可能なアプリケーションの詳細な情報を前記移動局装置に提供する詳細情報提供手段を具備する構成を採る。
【００６３】
この構成によれば、基地局装置は移動局装置にアプリケーション詳細情報を提供することができる。
【００６４】
本発明の路車間通信システムは、基地局装置と移動局装置とで路車間通信を行う路車間通信システムであって、前記基地局装置は、自装置の通信可能な範囲に滞留する前記移動局装置に無線通信回線を介してアプリケーションを提供し、前記移動局装置は、前記基地局装置から送信される周波数が所定の条件を満たすか否かを判定し、所定の条件を満たす周波数を前記基地局装置との通信に用いる周波数として選定する周波数選定手段と、前記周波数選定手段によって選定された周波数に対応するアプリケーション情報をユーザに通知すると共に前記アプリケーションを起動するか否かの選択をユーザに要求する起動選択手段と、ユーザの選択に応じて前記基地局装置と無線通信回線を介して接続し、ユーザがアプリケーションの起動を選択しなかった場合、前記基地局装置にアプリケーションが選択されなかったことを通知する通信接続手段と、前記基地局装置から無線通信回線を介して提供されるアプリケーションを実現する処理手段と、を具備する構成を採る。
【００６５】
この構成によれば、ユーザの選択に応じて基地局装置と無線通信回線を接続し、この回線を介して基地局装置から提供されるアプリケーションを実現することより、ユーザによって選択されたアプリケーションを実施することができる。また、基地局装置にアプリケーションが選択されなかったことを通知することにより、例えば、基地局装置は移動局装置との通信接続を行わなくてよく、これにより、通信接続に係る基地局装置の処理負担を軽減することができる。
【００６６】
【発明の実施の形態】
本発明の骨子は、路車間通信システムにおいて、基地局が提供するアプリケーション情報をユーザに提示し、提示されたアプリケーション情報からユーザによってアプリケーションの選択及びその実行可否が判断された結果に従ってアプリケーションの起動を行うことである。これにより、基地局が移動局に提供するアプリの中からユーザが所望するアプリケーションの選択を行うことができる。
【００６７】
以下、本発明の実施の形態について、図面を参照して説明する。
【００６８】
（実施の形態１）
この実施の形態では、基地局から提供されるアプリケーション（以下、単に「アプリ」という）からユーザが所望するアプリを選択する場合について説明する。
【００６９】
本発明の実施の形態１に係る移動局と基地局とが通信するためのフレームフォーマットは、図３０、図３１、図３２、図３４、図３６と同様である。以下、この通信フレームフォーマットを例にして本発明の実施の形態について説明する。
【００７０】
図１は、本発明の実施の形態１に係る基地局の概略構成を示すブロック図である。この図において、基地局アプリ処理部１０１は、無線通信によって送受信されるデータを処理し、アプリを実現する。基地局通信接続部１０２は、通信初期の接続時に移動局２００との通信回線の確立を行う。基地局データ転送部１０３は、基地局変復調部１０４を制御し、移動局２００とアプリデータの送受を行う。基地局変復調部１０４は、基地局通信接続部１０２や基地局データ転送部１０３の指示に基づいて移動局２００と無線通信を行う。
【００７１】
図２は、本発明の実施の形態１に係る移動局の概略構成を示すブロック図である。この図において、インタフェース装置２５０は、移動局２００と外部機器とのデータの送受を行う。
【００７２】
移動局アプリ処理部２０１は、無線通信によって送受信されるデータを処理し、アプリを実現する。また、アプリ起動選択部２０６とのデータの送受を行い、ユーザが選択しなかったアプリを終了させる。
【００７３】
移動局通信接続部２０２は、通信初期の接続時に基地局１００との通信回線を確立する。また、ユーザが要求したアプリに基づいてＶＳＴを生成し、ＶＳＴ送信制御を行う。
【００７４】
移動局データ転送部２０３は、移動局変復調部２０４を制御し、基地局１００とアプリデータの送受を行う。移動局変復調部２０４は、移動局通信接続部２０２や移動局データ転送部２０３の指示に基づいて基地局１００と無線通信を行う。通信周波数選定部２０５は、移動局通信接続部２０２の指示に従って周波数の選定を行う。
【００７５】
アプリ起動選択部２０６は、基地局１００が提供することができるアプリをユーザに対してインタフェース装置２５０を介して提示し、通信エリア進入時にユーザに起動アプリの選択、あるいはアプリ起動可否を選択させる。
【００７６】
図３及び図４は、本発明の実施の形態１に係る路車間通信システムにおける通信接続手順の一例を示すシーケンス図である。なお、この図では、基地局１００からのビーコンサービステーブル（ＢＳＴ）送信からの手順を示しており、この手順以前の動作は図４１及び図４２のＳＴ７１〜ＳＴ７９と同様であるのでその詳しい説明は省略する。また、図３及び図４は、一連の通信接続手順を２図に渡って記載したものであり、１から３はそれぞれ対応するものである。
【００７７】
図３において、ＳＴ３０１では、基地局１００がＦＣＭＣ５内のＳＣＩ１１−１に移動局２００を示すＬＩＤ１３−１を格納し、移動局変復調部２０４に通知する。ＳＴ３０２では、移動局変復調部２０４がＦＣＭＣ５内のＳＣＩ１１−１に格納されたＬＩＤ１３−１によって自局の識別番号を認識し、ＳＣＩ１１−１に対応するＭＤＳにおいてＭＤＣ６（ＢＳＴ）を受信する。ＳＴ３０３では、移動局変復調部２０４が、ＬＩＤ１３−１により自局の識別番号を認識することにより、ＡＣＴＣ８による基地局９０への通信接続要求が受信されたことを認識し、接続要求成功のステータスを移動局通信接続部２０２に通知する。
【００７８】
ＳＴ３０４では、移動局変復調部２０４が移動局データ転送部２０３にレスポンス要求を行うと共にＢＳＴデータを転送し、ＳＴ３０５では、移動局データ転送部２０３が移動局通信接続部２０２にレスポンス要求を行うと共にＢＳＴデータを転送する。
【００７９】
図４において、ＳＴ３０６では、ＢＳＴデータを取得した移動局通信接続部２０２が記憶しているアプリとＢＳＴ内にあるアプリリストとを比較照合する。ＳＴ３０７では、ＳＴ３０６において対応するアプリがあると、そのアプリの起動を移動局アプリ処理部２０１に要求する。
【００８０】
ＳＴ３０８では、移動局アプリ処理部２０１がＳＴ３０７において起動要求されたアプリを起動する。ＳＴ３０９では、移動局アプリ処理部２０１が起動したアプリ種別とアプリ詳細情報とをアプリ起動選択部２０６に転送し、ユーザへアプリ選択の要求を行うように指示する。
【００８１】
ＳＴ３１０では、アプリ起動選択部２０６が、移動局アプリ処理部２０１で起動したアプリを実施するか否かをユーザに選択させるプロセス（以下、「ユーザアプリ選択プロセス」という）を行うか否かを判断する。ユーザアプリ選択プロセスを行う場合には、ＳＴ３１１に移行する。ユーザアプリ選択プロセスを行わない場合には、ＳＴ３１４に移行し、アプリ起動選択部２０６は移動局アプリ処理部２０１に対して通知された実行可能なアプリ全ての起動要請を行う。なお、ユーザアプリ選択プロセスを行うか否かの判断基準は、例えば、予めユーザがユーザアプリ選択プロセスを行うか否かを設定しておき、この設定を判断基準にしてもよい。これにより、アプリ起動選択部２０６は、移動局２００がサービスの提供エリアに進入した際、ユーザアプリ選択プロセスを行うか否かを判断することができる。
【００８２】
ＳＴ３１１では、ユーザアプリ選択プロセスを行うと判断したアプリ起動選択部２０６が、インタフェース装置２５０を介してユーザに実行可能なアプリの詳細情報を提示すると共にユーザへアプリの選択を要求する。
【００８３】
ＳＴ３１２では、ユーザが提示されたアプリを起動するか否かを選択する。これにより、例えば、ＥＴＣを利用する際、ユーザの都合で自動課金したくない場合（銀行残高が残り少ない場合や他人の車両を借りている場合など）、ユーザの都合に応じて自動課金を行うか否かを選択することができる。ＳＴ３１３では、インタフェース装置２５０がユーザの選択したアプリをアプリ起動選択部２０６に通知する。
【００８４】
ＳＴ３１４では、ユーザの選択アプリを通知されたアプリ起動選択部２０６が、ユーザにより選択されたアプリを移動局アプリ処理部２０１に通知する。ＳＴ３１５では、移動局アプリ処理部２０１が、ユーザにより選択されたアプリ以外の起動しているアプリを終了させる。なお、ここでユーザ選択アプリが無い場合（ユーザがアプリの実施を拒否する選択をした場合）、移動局アプリ処理部２０１は、起動している全アプリを終了する。さらに、ユーザ選択アプリがない場合、移動局アプリ処理部２０１が移動局通信接続部２０２に通信接続停止命令を通知するようにしてもよい。これにより、ユーザ選択アプリがない場合、移動局２００はＳＴ３１６以降の手順を実行しなくてよいので、移動局２００の負荷を軽減することができる。
【００８５】
ＳＴ３１６では、ユーザ選択アプリのみ起動させている移動局アプリ処理部２０１が、現在起動しているアプリを移動局通信接続部２０２に通知する。ＳＴ３１７では、移動局通信接続部２０２が、通知された起動アプリに基づいてビークルサービステーブル（ＶＳＴ）データを生成する。具体的には、基地局１００から送信されたＢＳＴデータのアプリで移動局アプリ処理部２０１が実施可能であり、且つ、その中でユーザが選択したアプリの詳細情報等をＶＳＴデータとする。ここで、起動アプリがない場合、ＶＳＴに起動アプリがない旨の情報を記載し、ＳＴ３１７以降の通信手順を使用して基地局１００に通知してもよい。これにより、基地局１００はリンク要求を行っている移動局２００との接続を速やかに中止することができ、基地局１００の負荷及びリンク接続数を軽減することができる。
【００８６】
ＳＴ３１８では、移動局通信接続部２０２が移動局データ転送部２０３にＢＳＴのレスポンスとしてＶＳＴの転送要求を行う。図３において、ＳＴ３１９では、移動局データ転送部２０３がＶＳＴの転送要求を移動局変復調部２０４に行う。
【００８７】
ＳＴ３２０では、基地局１００がＦＣＭＣ５内のＳＣＩ１１−１に移動局２００を示すＬＩＤ１３−１を格納し、移動局変復調部２０４に通知する。ＳＴ３２１では、移動局変復調部２０４がＦＣＭＣ５内のＳＣＩ１１−１に格納されたＬＩＤ１３−１に自局の識別番号を認識し、ＳＣＩ１１−１に対応する通信スロット（ＭＤＳ）においてＶＳＴデータをＭＤＣ６として送信する。
【００８８】
ＳＴ３２２では、ＶＳＴデータを受信した基地局１００が、ＶＳＴデータ内にあるユーザが選択したアプリを起動する。なお、ここで、ＶＳＴデータ内に移動局２００の起動アプリがない旨の情報がある場合、基地局１００は通信手順を中止する。
【００８９】
このように本実施の形態によれば、移動局の移動に伴って、基地局の通信エリア内に進入して来た時点で、基地局が提供するアプリの中からユーザが所望するアプリを実施することができる。また、ユーザがアプリを選択しない場合、基地局と移動局との通信接続動作を中止することにより、基地局あるいは移動局の負担を軽減することができる。
【００９０】
（実施の形態２）
この実施の形態では、基地局から提供されるアプリの中からユーザが所望するアプリをリンク要求前に選択する場合について説明する。
【００９１】
本発明の実施の形態２に係る移動局と基地局が通信するための通信フレームフォーマットは、図３０、図３１、図３２、図３４、図３６については同様である。以下、この通信フレームフォーマットを例にして本発明の実施の形態について説明する。
【００９２】
本発明の実施の形態２に係る基地局の概略構成については図１に示した構成と同様であるため、図１を代用する。
【００９３】
図５は、本発明の実施の形態２に係る移動局の概略構成を示すブロック図である。ただし、この図において、図２と共通する部分については、図２と同一の符号を付し、その詳しい説明は省略する。図５が図２と異なる点は、通信周波数選定部２０５を通信周波数選定部４０１に変更した点と、移動局通信接続部２０２を移動局通信接続部４０２に変更した点と、である。
【００９４】
通信周波数選定部４０１は、通信周波数を選定し、決定した通信周波数及び基地局１００から送信されたＦＣＭＣ５内に格納されたＡＰＩ１３を移動局通信接続部４０２に通知する。
【００９５】
移動局通信接続部４０２は、通信周波数選定部４０１から取得したＡＰＩ１３からＡＩＤを抽出する。移動局の電源投入時に記憶、保持していた移動局アプリ処理部２０１が実施可能なアプリリストと抽出したＡＩＤが示すアプリ情報とを比較照合する。比較の結果に基づいてアプリ起動選択部２０６又は通信周波数選定部４０１を制御する。
【００９６】
図６は、本発明の実施の形態２に係る路車間通信システムにおける通信接続手順の一例を示すシーケンス図である。以下、図６を用いて路車間通信システムの動作について説明する。なお、この図では、通信周波数選定部４０１が周波数選定動作を終了した時点からの手順を示しており、この手順以前の動作は図４０に示す周波数選定動作と同様であるのでその詳しい説明は省略する。
【００９７】
ＳＴ５０１では、移動局４００が移動に伴って、基地局１００がカバーする通信エリアへ侵入すると、図４０で示した周波数選定動作に従って通信周波数選定部４０１が周波数を選定する。通信周波数選定部４０１は、周波数選定中に基地局１００から受信したＦＣＭＣ５内にあるＡＰＩ１３及び通信周波数を決定したことを移動局通信接続部４０２に通知する。
【００９８】
ＳＴ５０２では、移動局通信接続部４０２が通信周波数決定通知と共に取得したＡＰＩ１３内にあるＡＩＤを抽出する。そして、移動局の電源投入時に記憶、保持していた移動局アプリ処理部２０１が実施可能なアプリリストと抽出したＡＩＤが示すアプリ情報とを比較照合する。比較の結果、一致するＡＩＤが存在しない場合、移動局通信接続部４０２は通信接続手順を中止し、通信周波数選定部４０１に周波数選定動作を起動するよう指示する。一致するＡＩＤがある場合、通信接続手順を継続し、ＳＴ５０３に移行する。
【００９９】
ＳＴ５０３では、移動局通信接続部４０２がアプリ起動選択部２０６にＳＴ５０２で一致したＡＩＤを通知すると共にユーザへアプリ選択の要求を行うように指示する。
【０１００】
ＳＴ５０４では、アプリ起動選択部２０６がインタフェース装置２５０に対して実施可能なアプリ情報を通知すると共にユーザへアプリ選択の要求を行う。インタフェース装置２５０は、ユーザに実行可能なアプリ情報及びアプリ選択要求を提示する。
【０１０１】
ＳＴ５０５では、ユーザが実施するアプリを選択し、ＳＴ５０６では、インタフェース装置２５０がユーザの選択したアプリをアプリ起動選択部２０６に通知する。
【０１０２】
ＳＴ５０７では、アプリ起動選択部４０３がユーザの選択したアプリを移動局通信接続部４０２に通知する。ＳＴ５０８では、移動局通信接続部４０２が通知されたアプリを記憶し、通常通信接続動作時の受信ＢＳＴ内のアプリとの比較やＶＳＴ生成等に使用する。なお、アプリ起動選択部４０３から通知されたユーザ選択アプリがない場合（ユーザがアプリの実施を拒否する選択をした場合）、移動局通信接続部４０２は、ここで通信接続動作を中止してもよい。これにより、基地局との通信接続を行わなくてよいので、移動局の負担を軽減することができる。
【０１０３】
ＳＴ５０９では、ユーザ選択アプリを記憶した移動局通信接続部４０２が、図４１及び図４２のＳＴ７３からの手順と同様な通信接続動作を行う。
【０１０４】
このように本実施の形態によれば、移動局の移動に伴って、基地局の通信エリア内に進入し、移動局が通信接続動作を開始する前の段階で、ユーザは基地局が提供するアプリ情報に基づいてアプリを選択することができ、ユーザが所望しないアプリの実施を回避することができる。
【０１０５】
（実施の形態３）
この実施の形態では、複数の基地局から同時にアプリを提供されるエリアに進入したとき、周波数選定中に所定の選定基準を満たす周波数を通信周波数として仮決定し、仮決定した通信周波数で提供されるアプリをユーザが選択する場合について説明する。
【０１０６】
本発明の実施の形態３に係る移動局と基地局が通信するための通信フレームフォーマットは、図３０、図３１、図３２、図３４、図３６と同様である。以下、この通信フレームフォーマットを例にして本発明の実施の形態について説明する。
【０１０７】
本発明の実施の形態３に係る基地局の概略構成については図１に示した構成と同様であるため、図１を代用する。
【０１０８】
また、図７は、本発明の実施の形態３に係る移動局の概略構成を示すブロック図である。ただし、この図において、図５と共通する部分には図５と同一の符号を付し、その詳しい説明は省略する。図７が図５と異なる点は、通信周波数選定部４０１を通信周波数選定部５０１に変更した点と、移動局通信接続部４０２を移動局通信接続部５０２に変更した点である。
【０１０９】
通信周波数選定部５０１は、周波数選定動作中に、移動局通信接続部５０２に対し選定候補となる周波数及びＡＰＩ１３を通知し、移動局通信接続部５０２からの起動許可通知により周波数を決定する。
【０１１０】
移動局通信接続部５０２は、通信周波数選定部５０１から通知されたＡＰＩ１３内のＡＩＤが、移動局通信接続部５０２に予め記憶されているアプリリストに存在する場合、そのＡＩＤが示すアプリの起動許可を通信周波数選定部５０１に通知する。
【０１１１】
次に、周波数選定動作について図８を用いて説明する。図８は、通信周波数選定部５０１の周波数選定動作を示すフロー図である。この図において、ｋは１〜Ｎ（Ｎ：選定対象チャネル数）とする。ＳＴ７０１では、Ｆk＿ＦＩＤリストを初期化し、保存していたＦＩＤ３０４の履歴を消去する。ＳＴ７０２では、ｋを「１」に設定する。ＳＴ７０３では、Ｆkｃｏｕｎｔを「０」に設定し、ＳＴ７０４において、通信周波数選定部５０１が移動局変復調部２０４に周波数Ｆkを設定する。ＳＴ７０５では、通信周波数選定部５０１に内蔵されているタイマーを所定時間設定し、タイマーをスタートする。ＳＴ７０６では、通信周波数選定部５０１が移動局変復調部２０４で受信した信号（周波数Ｆk）の受信レベルを測定する。ＳＴ７０７では、ＳＴ７０６において測定した受信レベルと所定の閾値との閾値判定を行う。受信レベルが所定の閾値以上のとき、ＳＴ７０８に移行し、受信レベルが所定の閾値未満のとき、ＳＴ７１２に移行する。ＳＴ７０８では、ＦＣＭＣ５の受信に成功したか否かが判定され、成功したと判定されたとき、ＳＴ７０９に移行し、成功しなかったと判定されたとき、ＳＴ７１２に移行する。ＳＴ７０９では、Ｆk＿ＦＩＤリストにＳＴ７０８において受信したＦＣＭＣ５に含まれるＦＩＤが存在するか否かが判定される。Ｆk＿ＦＩＤリストに存在すると判定されたとき、ＳＴ７１０に移行し、Ｆk＿ＦＩＤに存在しないと判定されたとき、ＳＴ７１１に移行する。ＳＴ７１０では、Ｆkｃｏｕｎｔをインクリメントし、ＳＴ７１２に移行する。ＳＴ７１１では、ＳＴ７０９においてＦk＿ＦＩＤリストに存在しないと判定されたＦＩＤをＦk＿ＦＩＤリストに登録し、ＳＴ７１２に移行する。
【０１１２】
ＳＴ７１２では、Ｆkｃｏｕｎｔが設定値を超えるか否かが判定され、設定値を超えると判定されたとき、ＳＴ７１３に移行し、設定値を超えないと判定されたとき、ＳＴ７１５に移行する。
【０１１３】
ＳＴ７１３では、周波数Ｆkを仮決定し、仮決定した周波数ＦkとＦＣＭＣ５に格納されていたＩＭＩ１２及びＡＰＩ１３とを移動局通信接続部５０２に通知する。ＳＴ７１４では、移動局通信接続部５０２が通信周波数選定部５０１から取得したＡＰＩ１３内のＡＩＤを抽出し、移動局アプリ処理部２０１が記憶しているアプリリストと比較照合する。比較の結果、アプリリストに一致するＡＩＤが存在しないとき、移動局通信接続部５０２は通信周波数選定部５０１に仮決定した周波数での起動を許可しない旨を通知し、ＳＴ７１６に移行する。アプリリストに一致するＡＩＤが存在するとき、一致したＡＩＤが示すアプリ情報をユーザに通知する。
【０１１４】
ＳＴ７１５では、タイムアウトか否かが判定され、タイムアウトと判定されたとき、ＳＴ７１６に移行し、タイムアウトと判定されなかったとき、ＳＴ７０６に戻る。ＳＴ７１６では、ｋをインクリメントし、ＳＴ７１７において、ｋがＮを超えるか否かが判定される。ｋがＮを超えると判定されたとき、ＳＴ７０２に戻り、ｋがＮを超えないと判定されたとき、ＳＴ７０３に戻る。
【０１１５】
図９及び図１０は、本発明の実施の形態３に係る路車間通信システムの通信接続手順の一例を示すシーケンス図である。ＳＴ８０１〜ＳＴ８１３は通信周波数選定部５０１の周波数選定動作中の手順であり、以下の説明では、図８で説明した通信接続手順を一部対応させながら説明する。なお、図９及び図１０は、一連の通信接続手順を２図に渡って記載したものであり、１から３はそれぞれ対応するものである。
【０１１６】
図９において、ＳＴ８０１では、移動局６００が移動に伴って、基地局１００がカバーする通信エリア内に侵入すると、通信周波数選定部５０１が、図８で示した周波数選定動作のＳＴ７０１〜ＳＴ７０３までの初期化作業を行い、ＳＴ７０４で周波数リスト上位の周波数を選択し、選択した周波数を移動局変復調部２０４に通知する。移動局変復調部２０４は通知された周波数に通信周波数を設定する。
【０１１７】
ＳＴ８０２では、ＦＣＭＣ５の受信を試みる。ＳＴ８０３では、移動局変復調部２０４が、受信したＦＣＭＣ５の受信レベルを測定し、測定した受信レベル、ＦＣＭＣ５受信の成否、ＦＣＭＣ５受信成功の場合はＦＣＭＣ５内のＦＩＤ、ＡＰＩ１３などの情報を定期的に通信周波数選定部５０１に通知する。
【０１１８】
ＳＴ８０４では、受信したＦＣＭＣ５に関する情報を通知された通信周波数選定部５０１が図８のＳＴ７０７〜ＳＴ７１２に示す判定を繰り返し行い、選定基準を満たす周波数か否かを判定する。判定の結果、選定基準を満たしていないとき、ＳＴ８０１に戻り、周波数リストにおいて次の周波数を選択し、選択した周波数について上記の手順を繰り返す。選定基準を満たしているとき、仮決定した通信周波数、ＡＰＩ１３、ＩＭＩ１２内のアプリ報知ビット１６０１などの情報を移動局通信接続部５０２に通知する。この手順は、図８のＳＴ７１３に対応する。
【０１１９】
図１０において、ＳＴ８０５では、移動局通信接続部５０２が通信周波数仮決定通知と共に取得したＡＰＩ１３内にあるＡＩＤを抽出し、移動局の電源投入時に記憶、保持していた移動局アプリ処理部２０１が実施可能なアプリリストと抽出したＡＩＤが示すアプリ情報とを比較照合する。比較の結果、一致するＡＩＤが存在しないとき、移動局通信接続部５０２は、通信周波数選定部５０１に対して、周波数起動不許可を通知し、通信周波数選定動作の継続を指示する。この手順は、図８のＳＴ７１４〜ＳＴ７１７に対応する。一致するＡＩＤがあるとき、ＳＴ８０６に移行する。
【０１２０】
ＳＴ８０６では、移動局通信接続部５０２がアプリ起動選択部２０６にＳＴ８０５で一致したＡＩＤを通知すると共にユーザへアプリ選択を行わせるよう指示する。
【０１２１】
ＳＴ８０７では、アプリ起動選択部２０６がインタフェース装置２５０に対して実施可能なアプリ情報を通知すると共にユーザへアプリを選択するよう要求する。インタフェース装置２５０は、ユーザに基地局１００が実施可能なアプリ情報の提示及びアプリ選択要求を行う。
【０１２２】
ＳＴ８０８では、ユーザが実施するアプリを選択し、ＳＴ８０９では、インタフェース装置２５０がユーザにより選択されたアプリをアプリ起動選択部２０６に通知する。
【０１２３】
ＳＴ８１０では、アプリ起動選択部２０６がユーザにより選択されたアプリを移動局通信接続部５０２に通知する。ＳＴ８１１では、移動局通信接続部５０２が通知されたアプリを記憶し、通常通信接続動作時の受信ＢＳＴ内のアプリとの比較やＶＳＴ生成等に使用する。なお、アプリ起動選択部２０６から通知されたユーザ選択アプリがない場合（ユーザがアプリの実施を拒否する選択をした場合）、移動局通信接続部５０２は、通信周波数選定部５０１に対して周波数の起動不許可を通知し、通信周波数選定動作の継続を指示し（図８のＳＴ７１４〜ＳＴ７１７に対応）、ＳＴ８０１に戻る。これにより、次に選定基準を満たす周波数を仮決定することになり、ユーザがアプリを選択するまで周波数選定が続けられる。
【０１２４】
また、通知されたユーザ選択アプリがある場合、ＳＴ８１２において、移動局通信接続部５０２は通信周波数選定部５０１に対して周波数の起動許可を通知し、通信周波数選定動作（図８のＳＴ７１４に対応）を終了させ、ＳＴ８１３に移行する。
【０１２５】
ＳＴ８１３では、ユーザ選択アプリを記憶した移動局通信接続部５０２が、図４１及び図４２のＳＴ７３以降の手順と同様な通信接続動作を行う。
【０１２６】
このように本実施の形態によれば、ユーザは移動局の周波数選定動作時に選定基準を満たす周波数を通信周波数として仮決定し、仮決定した通信周波数に対応するアプリ情報に基づいてアプリを選択することができ、ユーザがアプリを選択するまで周波数選定動作が繰り返し行われ、ユーザがアプリを選択することにより通信周波数を決定することになる。これにより、移動局が移動に伴って、複数の基地局が異なる周波数でサービスを実施する通信エリア内に進入した場合でも、ユーザが所望するアプリを選択することができる。
【０１２７】
（実施の形態４）
この実施の形態では、複数の基地局が異なる周波数でサービスを実施する通信エリア内に移動局が進入したとき、基地局との通信接続前に全ての周波数について周波数選定を行い、選定基準を満たす全ての周波数に対応するアプリ情報をユーザに提示する場合について説明する。
【０１２８】
本実施の形態の移動局と基地局が通信するための通信フレームフォーマットは、図３０、図３１、図３２、図３４、図３６と同様である。以下、この通信フレームフォーマットを例にして本発明の実施の形態について説明する。
【０１２９】
本発明の実施の形態４に係る基地局の概略構成ついては図１に示した構成と同様であるため、図１を代用する。
【０１３０】
図１１は、本発明の実施の形態４に係る移動局の概略構成を示すブロック図である。ただし、この図において、図７と共通する部分には図７と同一の符号を付し、その詳しい説明は省略する。図１１が図７と異なる点は、通信周波数選定部５０１を通信周波数選定部６０１に変更した点である。
【０１３１】
通信周波数選定部６０１は、周波数リストにある全ての周波数をスキャンし、周波数とそれに対応するアプリ情報などを移動局通信接続部５０２に通知する。
【０１３２】
次に、周波数選定動作について図１２及び図１３を用いて説明する。図１２及び図１３は、通信周波数選定部６０１の周波数選定動作を示すフロー図である。なお、図１２及び図１３は、一連の周波数選定動作を２図に渡って記載したものであり、１から５はそれぞれ対応するものである。また、これらの図において、ｋは１〜Ｎ（Ｎ：選定対象チャネル数）とする。
【０１３３】
図１２において、ＳＴ１００１では、通信周波数選定部６０１が保持しているＦk＿アプリリストを初期化する。ＳＴ１００２では、Ｆk＿ＦＩＤリストを初期化し、保存していたＦＩＤ３０４の履歴を消去する。ＳＴ１００３では、ｋを「１」に設定する。ＳＴ１００４では、Ｆkｃｏｕｎｔを「０」に設定し、ＳＴ１００５において、通信周波数選定部６０１が移動局変復調部２０４に周波数Ｆkを設定する。ＳＴ１００６では、通信周波数選定部６０１に内蔵されているタイマーを所定時間設定し、タイマーをスタートする。ＳＴ１００７では、通信周波数選定部６０１が移動局変復調部２０４で受信した信号（周波数Ｆk）の受信レベルを測定する。ＳＴ１００８では、ＳＴ１００７において測定した受信レベルと所定の閾値との閾値判定を行う。受信レベルが所定の閾値以上のとき、ＳＴ１００９に移行し、受信レベルが所定の閾値未満のとき、ＳＴ１０１３に移行する。ＳＴ１００９では、ＦＣＭＣ５の受信に成功したか否かが判定され、成功したと判定されたとき、ＳＴ１０１０に移行し、成功しなかったと判定されたとき、ＳＴ１０１３に移行する。ＳＴ１０１０では、Ｆk＿ＦＩＤリストにＳＴ１００９において受信したＦＣＭＣ５に含まれるＦＩＤが存在するか否かが判定される。Ｆk＿ＦＩＤリストに存在すると判定されたとき、ＳＴ１０１１に移行し、Ｆk＿ＦＩＤに存在しないと判定されたとき、ＳＴ１０１２に移行する。ＳＴ１０１１では、Ｆkｃｏｕｎｔをインクリメントし、ＳＴ１０１３に移行する。ＳＴ１０１２では、ＳＴ１０１０においてＦk＿ＦＩＤリストに存在しないと判定されたＦＩＤをＦk＿ＦＩＤリストに登録し、ＳＴ１０１３に移行する。
【０１３４】
ＳＴ１０１３では、Ｆkｃｏｕｎｔが設定値を超えるか否かが判定され、設定値を超えると判定されたとき、図１３のＳＴ１０１７に移行し、設定値を超えないと判定されたとき、ＳＴ１０１４に移行する。
【０１３５】
ＳＴ１０１４では、タイムアウトか否かが判定され、タイムアウトと判定されたとき、ＳＴ１０１５に移行し、タイムアウトと判定されなかったとき、ＳＴ１００７に戻る。ＳＴ１０１５では、ｋをインクリメントし、ＳＴ１０１６では、ｋがＮを超えるか否かが判定される。ｋがＮを超えると判定されたとき、図１３のＳＴ１０２０に移行し、ｋがＮを超えないと判定されたとき、ＳＴ１００４に戻る。
【０１３６】
図１３において、ＳＴ１０１７では、周波数Ｆkで受信したＦＣＭＣ５に格納されているＡＰＩ１３が示すアプリをＦk＿アプリリストに登録する。ＳＴ１０１８では、ｋをインクリメントし、ＳＴ１０１９において、ｋがＮを超えるか否かが判定される。ｋがＮを超えると判定されたとき、すなわち、周波数リストの全ての周波数を選定判定したとき、ＳＴ１０２０に移行し、ｋがＮを超えないと判定されたとき、すなわち、周波数リストの全ての周波数を選定判定していないとき、図１２のＳＴ１００４に戻り、選定判定を繰り返す。ＳＴ１０２０では、アプリリストに登録されているか否かを判定する。登録されていると判定されれば、ＳＴ１０２１に移行し、登録されていないと判定されれば図１２のＳＴ１００３に戻る。ＳＴ１０２１では、通信周波数選定部６０１がアプリリストを移動局通信接続部５０２に通知する。ＳＴ１０２２では、移動局通信接続部５０２が通信周波数選定部６０１から取得したＡＰＩ１３内のＡＩＤを抽出し、アプリ処理部２０１が記憶しているアプリリストと比較照合する。比較の結果、アプリリストに一致するＡＩＤが存在しないとき、移動局通信接続部５０２は通信周波数選定部６０１に周波数Ｆkでの起動を許可しない旨を通知し、図１２のＳＴ１００１に戻る。アプリリストに一致するＡＩＤが存在するとき、一致したＡＩＤが示すアプリ情報をユーザに通知し、ＳＴ１０２３では、通信周波数選定部６０１がユーザ選択アプリに対応する通信周波数を移動局変復調部２０４に設定する。
【０１３７】
図１４及び図１５は、本発明の実施の形態４に係る路車間通信システムの通信接続手順の一例を示したシーケンス図であり、ＳＴ１１０１〜ＳＴ１１１４は通信周波数選定部６０１の周波数選定動作中の手順であり、以下の説明では、図１２及び図１３で説明した手順を一部対応させながら説明する。なお、図１４及び図１５は、通信周波数選定部６０１が周波数選定動作を開始した時点からの手順を示している。また、図１４及び図１５は、一連の通信接続手順を２図に渡って記載したものであり、１から３はそれぞれ対応するものである。
【０１３８】
図１４において、ＳＴ１１０１では、移動局９００が移動に伴って、基地局１００がカバーする通信エリア内へ侵入すると、通信周波数選定部６０１が、図１２で示した周波数選定動作のＳＴ１００１〜ＳＴ１００４までの初期化作業を行い、ＳＴ１００５で周波数リスト上位の周波数を選択し、選択した周波数を移動局変復調部２０４に通知する。移動局変復調部２０４は通知された周波数に通信周波数を設定する。
【０１３９】
ＳＴ１１０２では、ＦＣＭＣ５受信を試みる。ＳＴ１１０３では、移動局変復調部２０４が、受信したＦＣＭＣ５の受信レベルを測定し、測定した受信レベル、ＦＣＭＣ５受信の成否、ＦＣＭＣ５受信成功の場合は受信ＦＣＭＣ５内のＦＩＤ９、ＡＰＩ１３、ＩＭＩ１２内のアプリ報知ビット１６０１などの情報を定期的に通信周波数選定部６０１に通知する。通信周波数選定部６０１は、図１２のＳＴ１００８〜ＳＴ１０１３に示す比較を繰り返し行い、その周波数が選定基準を満たすか否かを判定する。ＳＴ１１０４では、判定の結果、基準を満たしている場合、受信した通信周波数とそれに対応したアプリをＦk＿アプリリストに登録する（図１３のＳＴ１０１７に対応）。ＳＴ１１０５では、周波数リストの全ての周波数を選定判定した後、通信周波数選定部６０１が、基準を満たす通信周波数及びアプリが存在しているか否かをアプリリストから確認し（図１３のＳＴ１０２０に対応）、基準を満たす通信周波数がある場合、アプリリストと通信周波数を移動局通信接続部５０２に通知する（図１３のＳＴ１０２１に対応）。
【０１４０】
図１５において、ＳＴ１１０６では、アプリリストと対応する通信周波数を取得した移動局通信接続部５０２がアプリリストにあるＡＩＤを抽出し、移動局の電源投入時に記憶、保持していた移動局アプリ処理部２０１が実施可能なアプリリストと抽出したＡＩＤが示すアプリとを比較照合する。比較の結果、一致するＡＩＤがある場合、ＳＴ１１０７に移行する。
【０１４１】
ＳＴ１１０７では、移動局通信接続部５０２がアプリ起動選択部２０６に対して、一致したＡＩＤ情報を通知すると共にユーザへアプリ選択の要求を行うように指示する。
【０１４２】
ＳＴ１１０８では、アプリ起動選択部２０６が、インタフェース装置２５０に対して実施可能なアプリ情報を通知すると共にユーザへアプリ選択の要求を行う。インタフェース装置２５０は、ユーザに実施可能なアプリ情報及びアプリ選択要求を提示する。
【０１４３】
ＳＴ１１０９では、ユーザが実施するアプリを選択し、ＳＴ１１１０では、インタフェース装置２５０がユーザにより選択されたアプリをアプリ起動選択部２０６に通知する。なお、この時、ユーザへは選択可能なアプリの単位が通信周波数毎に提示され、ユーザが複数のアプリを選択する際、異なる通信周波数で実施されることになるアプリを選択できないように提示してもよい。これにより、ユーザは同時に享受可能なサービスしか選択できず、無駄な選択動作を減少させることができる。
【０１４４】
ＳＴ１１１１では、アプリ起動選択部２０６が、ユーザにより選択されたアプリを移動局通信接続部５０２に通知する。ＳＴ１１１２では、移動局通信接続部５０２が通知されたアプリを記憶し、通常通信接続動作時の受信ＢＳＴ内のアプリとの比較やＶＳＴ生成等に使用する。なお、アプリ起動選択部２０６から通知されたユーザ選択アプリがない場合（ユーザがアプリの実施を拒否する選択をした場合）、移動局通信接続部５０２は、通信周波数選定部６０１に対して周波数の起動不許可を通知し、通信周波数選定動作の継続を指示し（図１２及び図１３のＳＴ１０２２〜ＳＴ１００１に対応）、ＳＴ１１０１に戻る。ＳＴ１１１３では、通知されたユーザ選択アプリがある場合、移動局通信接続部５０２が、通信周波数選定部６０１に対して動作終了を通知する。ＳＴ１１１４では、移動局通信接続部５０２が、許可された通信周波数の設定を移動局変復調部２０４に指示する。
【０１４５】
ＳＴ１１１５では、ユーザ選択アプリを記憶した移動局通信接続部５０２が、図４１及び図４２のＳＴ７３からと同様な通信接続動作を行う。
【０１４６】
本実施の形態において上述した路車間通信システムでは、ユーザがアプリを選択できる場合について説明したが、基地局が提供するアプリの内容によっては、基地局から緊急にアプリを提供することも考えられ（例えば、事故情報や気象情報など）、その際、ユーザにアプリ選択を行わせず、移動局に強制的に通信接続を行わせる場合（以下、「強制モード」ということがある）がある。以下、この場合について説明する。
【０１４７】
図１６は、ＩＭＩ１２の構成を示した図である。この図において、強制モード識別ビット１２０１は、移動局に対して強制モードを行わせるか否かを通知する。なお、図１６では、強制モード識別ビット１２０１をＩＭＩ情報フィールドの２ビット目に設けているが、ＦＣＭＣ５における予約ビットであれば、強制モード識別ビット１２０１をどこの位置に設けてもよい。また、例えば、強制モード識別ビット１２０１が「０」のとき、基地局と強制的に接続することを示し、優先的にアプリを実施するように移動局に指示している。強制モード識別ビット１２０１が「１」のとき、通常の通信接続動作を行うように移動局に指示している。
【０１４８】
図１７は、強制モードの有無を判定する周波数選定動作を示すフロー図である。ただし、この図において、図１２及び１３と共通する部分は図１２及び図１３と同一の符号を付し、その詳しい説明は省略する。なお、図１７の１から５はそれぞれ図１３の１から５に対応するものであり、図１７及び図１３は、一連の通信周波数選定動作を２図に渡って記載したものである。このため、図１３の説明は全て省略する。また、これらの図において、ｋは１〜Ｎ（Ｎ：選定対象チャネル数）とする。
【０１４９】
図１７において、ＳＴ１３０１では、強制モード識別ビット１２０１が「０」であるか否かが判定される。「０」であると判定されたときは、強制モードであるとしてＳＴ１３０２に移行する。「０」ではないと判定されたときは、通常モードであるとしてＳＴ１０１７に移行する。ＳＴ１３０２では、通信周波数選定部６０１がユーザにアプリ選択プロセスを行わせず、強制的に特定のサービスを受けるように移動局通信接続部５０２に通知する。
【０１５０】
このように、通信周波数選定動作中に所定の基準を満たし、且つ、ＦＣＭＣ５の強制モード識別ビット１２０１の値が「０」の通信周波数がある場合、ユーザアプリ選択プロセスを行わず、通信接続動作を行ってもよい。
【０１５１】
なお、移動局が強制モード（ユーザアプリ選択プロセス）を行うか否かの決定は、例えば、予めユーザがアプリ選択プロセスの可否を設定するようにし、強制モード識別ビット１２０１に関係なく事前のユーザの設定に従ってユーザアプリ選択プロセスを行うか否かを決定してもよい。
【０１５２】
このように本実施の形態によれば、移動局が移動に伴って、複数の基地局が異なる周波数でサービスを実施する通信エリア内に進入した場合でも、ユーザは移動局の周波数選定動作時に、複数の基地局が提供する全アプリからユーザが所望するアプリを選択することができる。また、基地局は、従来の基地局の構成をそのまま用いて強制的に移動局と接続し、緊急に移動局に知らせる必要のあるアプリを移動局に提供することができる。
【０１５３】
（実施の形態５）
この実施の形態では、通信接続前に基地局が移動局に提供可能なアプリの詳細な情報（サービス内容の概略）を報知し、ユーザがアプリ詳細情報に基づいてアプリを選択する場合について説明する。
【０１５４】
本発明の実施の形態５に係る移動局と基地局が通信するための通信フレームフォーマットは、図３０、図３１、図３２、図３４、図３６と同様である。以下、この通信フレームフォーマットを例にして本発明の実施の形態について説明する。
【０１５５】
図１８は、本発明の実施の形態５に係る基地局の概略構成を示すブロック図である。ただし、この図において、図１と共通する部分には図１と同一の符号を付し、その詳しい説明は省略する。図１８が図１と異なる点は、基地局アプリ処理部１０１を基地局アプリ処理部１４０１に変更した点と、基地局データ転送部１０３を基地局データ転送部１４０２に変更した点と、アプリ情報提供部１４０３を設けた点である。
【０１５６】
図１８において、基地局アプリ処理部１４０１は、基地局１４００が無線通信によって送受信されるデータを処理し、アプリを実現する。また、基地局アプリ処理部１４０１で実現することができるアプリの詳細な情報をアプリ情報提供部１４０３に通知する。
【０１５７】
基地局データ転送部１４０２は、基地局変復調部１０４を制御し、移動局とアプリ情報の送受を行う。アプリ情報提供部１４０３は、基地局アプリ処理部１４０１から通知されたアプリの詳細な情報を移動局に通知できるフォーマットに変換し、基地局データ転送部１４０２と基地局変復調部１０４とをそれぞれ介して、移動局に通知する。
【０１５８】
図１９は、本発明の実施の形態５に係る移動局の概略構成を示すブロック図である。ただし、この図において、図５と共通する部分は図５と同一の符号を付し、その詳しい説明は省略する。図１９が図５と異なる点は、移動局通信接続部４０２を移動局通信接続部１５０１に変更した点である。
【０１５９】
移動局通信接続部１５０１は、通信接続前に基地局１４００の報知するアプリ詳細情報を受信する。
【０１６０】
図２０は、ＩＭＩの構成を示した図である。この図において、図１６と共通する部分には図１６と同一の符号を付し、その詳しい説明は省略する。図２０において、図１６と異なる点は、アプリ詳細情報の有無を移動局に通知するアプリ報知ビット１６０１を設けた点である。アプリ報知ビット１６０１が本実施の形態では、アプリ報知ビット１６０１が「０」のとき、基地局が「アプリ詳細情報なし」を報知していることを示し、アプリ報知ビット１６０１が「１」のとき、基地局が「アプリ詳細情報あり」を報知していることを示し、移動局にアプリ詳細情報の受信準備を指示している。
【０１６１】
図２１及び図２２は、本発明の実施の形態５に係る路車間通信システムの通信接続手順の一例を示すシーケンス図であり、ＳＴ１７０１〜ＳＴ１７０３は基地局１４００の電源投入時の手順を示し、ＳＴ１７０４〜ＳＴ１７２０は移動局１５００が基地局１４００の通信エリアに進入した際の手順を示している。なお、図２１及び図２２は、一連の通信接続手順を２図に渡って記載したものであり、１から４はそれぞれ対応するものである。
【０１６２】
以下、本発明の実施の形態５に係る路車間通信システムの動作を、基地局電源投入時の動作及びユーザアプリ選択プロセスに分けて説明する。また、図２１のユーザアプリ選択プロセスは通信周波数選定部４０１が周波数選定動作を終了した時点からの手順を示しており、この手順以前の動作は図４０に示す周波数選定動作と同様である。まず、基地局電源投入時の動作について説明する。
【０１６３】
図２１において、ＳＴ１７０１では、基地局１４００が電源を投入され、ＳＴ１７０２では、基地局アプリ処理部１４０１が、自局が提供することができるアプリ及びそのアプリの詳細情報を収集し、アプリの詳細情報とＡＰＩ１３とを対応付け、これらのデータをアプリ情報提供部１４０３に通知する。この時、アプリ情報提供部１４０３に通知するデータ例を図２３に示す。
【０１６４】
図２３は、ＡＩＤ、ＥＩＤ、アプリインデックス、詳細内容の項目からなるテーブルであり、ＡＩＤ１７は、運転支援サービスを示しており、ＡＩＤ１８は、応用サービスを示している。この図に示された情報を移動局に通知する方法としては、詳細内容をそのまま通知する方法やアプリインデックスを詳細内容と対応付けて予め基地局と移動局との間で既知としておくことにより、アプリインデックスを通知する方法、これら両方を用いる方法が考えられる。また、アプリインデックスを課金サービスや広告サービスを示すものとして移動局に通知するようにしてもよい。
【０１６５】
ＳＴ１７０３では、基地局アプリ処理部１４０１から、例えば、図２３が示すようなアプリの詳細情報を取得したアプリ情報提供部１４０３が、その情報を記憶し、アプリ詳細情報を１つのＭＤＣ６、あるいは複数のＭＤＣ６で移動局１５００に通知できるようデータを加工する。また、アプリ情報提供部１４０３は、定期的、あるいは、必要なタイミング毎に、基地局データ転送部１４０２及び基地局変復調部１０４をそれぞれ介して、基地局がカバーする通信エリア内に滞留する移動局１５００に提供可能なアプリの詳細情報を報知する。
【０１６６】
なお、ＳＴ１７０２〜ＳＴ１７０３の動作は、基地局の電源投入時だけではなく、基地局アプリ処理部１４０１が提供できるアプリの変更、あるいは追加が発生した場合にも動作するとしてもよい。
【０１６７】
次に、ユーザアプリ選択プロセスについて説明する。図２２において、ＳＴ１７０４では、移動局１５００が移動に伴って、基地局１４００がカバーする通信エリア内へ侵入すると、図４０で示した周波数選定を行い、通信周波数選定部４０１が通信周波数を選定し、通信周波数選定部４０１が周波数選定中に受信したＦＣＭＣ５内のＡＰＩ１３及びＩＭＩ１２内のアプリ報知ビット１６０１を移動局通信接続部１５０１に通知すると共に、決定した通信周波数を通知する。
【０１６８】
ＳＴ１７０５では、通信周波数決定通知を取得した移動局通信接続部１５０１が通信周波数決定通知と共に取得したＡＰＩ１３内のＡＩＤを抽出し、移動局の電源投入時に記憶、保持していた移動局アプリ処理部２０１が実施可能なアプリリストと抽出したＡＩＤが示すアプリ情報とを比較照合する。比較の結果、一致するＡＩＤが存在しないとき、移動局通信接続部１５０１は、通信接続手順を中止し、通信周波数選定部４０１に通信周波数選定動作を再起動する指示を行う。比較の結果、一致するＡＩＤがあるとき、通信接続手順を継続し、ＳＴ１７０６に移行する。
【０１６９】
ＳＴ１７０６では、移動局通信接続部１５０１が取得したＩＭＩ１２内のアプリ報知ビット１６０１を抽出し、アプリ詳細情報の有無を判断する。アプリ詳細情報がないとき、ＳＴ１７２０に移行し、通常の通信接続動作を開始する。アプリ詳細情報があるとき、移動局通信接続部１５０１は、基地局１４００から報知されるアプリ詳細情報を受信するまで待機する。
【０１７０】
図２１において、ＳＴ１７０７では、アプリ情報提供部１４０３が定期的、あるいは、必要なタイミング毎にアプリ詳細情報を基地局の通信エリア内に滞留する移動局１５００に報知するためのトリガを発生する。ＳＴ１７０８では、アプリ情報提供部１４０３がアプリ詳細情報を移動局１５００に報知するため、基地局データ転送部１４０２にアプリ詳細情報の転送を要求する。
【０１７１】
ＳＴ１７０９では、アプリ詳細情報の転送要求を受けた基地局データ転送部１４０２が、アプリ詳細情報の転送を基地局変復調部１０４に要求する。
【０１７２】
ＳＴ１７１０では、基地局変復調部１０４がアプリ詳細情報の送信用に空き通信スロットへ一斉同報リンクアドレスと共に下りＭＤＣ６を割り付ける。なお、ここでは一斉同報リンクアドレスを用いて下りＭＤＣ６を割り付けるとしたが、グループ同報リンクアドレスを用いて割り付けを行ってもよい。
【０１７３】
ＳＴ１７１１では、例えば、ＦＣＭＣ５内のＳＣＩ１１に下りＭＤＣ６を割り付けた場合、移動局変復調部２０４はＳＣＩ１１のＬＩＤ１３−１に一斉同報リンクアドレスを認識する。ＳＴ１７１２では、移動局変復調部２０４がＳＣＩ１１に対応するＭＤＳにおいてＭＤＣ６を受信する。
【０１７４】
図２２において、ＳＴ１７１３では、ＭＤＣ６（アプリ詳細情報）を受信した移動局変復調部２０４が移動局通信接続部１５０１にアプリ詳細情報を転送する。
【０１７５】
ＳＴ１７１４では、移動局通信接続部１５０１がＳＴ１７０５で一致したＡＩＤに対応するアプリ詳細情報をアプリ起動選択部２０６に通知すると共にユーザへアプリ選択の要求を行うよう指示する。
【０１７６】
ＳＴ１７１５では、ユーザがアプリ選択を行うよう指示されたアプリ起動選択部２０６が、インタフェース装置２５０に対して実行可能なアプリの詳細情報を通知すると共にユーザへアプリを選択するよう要求する。インタフェース装置２５０は、基地局１４００が実行可能なアプリの詳細情報及びアプリ選択要求をユーザへ提示する。
【０１７７】
ＳＴ１７１６では、ユーザが実施するアプリを選択し、ＳＴ１７１７では、インタフェース装置２５０がユーザにより選択されたアプリをアプリ起動選択部２０６に通知する。
【０１７８】
ＳＴ１７１８では、アプリ起動選択部２０６がユーザにより選択されたアプリを移動局通信接続部１５０１に通知する。ＳＴ１７１９では、移動局通信接続部１５０１が通知されたアプリを記憶し、通常通信接続動作時の受信ＢＳＴ内のアプリとの比較やＶＳＴ生成等に使用する。なお、アプリ起動選択部２０６から通知されたユーザ選択アプリがない場合（ユーザがアプリの実施を拒否する選択をした場合）、移動局通信接続部１５０１は、ここで通信接続動作を中止する。
【０１７９】
ＳＴ１７２０では、ユーザ選択アプリを記憶した移動局通信接続部１５０１が、図４１及び図４２のＳＴ７３以降の手順と同様な通信接続動作を行う。
【０１８０】
このように本実施の形態によれば、基地局が提供可能なアプリの詳細情報を移動局に通知することにより、ユーザは所望するアプリ（サービス）を容易に見出すことができる。
【０１８１】
（実施の形態６）
この実施の形態では、複数の基地局が異なる周波数でサービスを実施する通信エリア内に移動局が進入したとき、基地局との通信接続前に全ての周波数について周波数選定を行い、選定基準を満たす全ての周波数に対応するアプリの詳細な情報をユーザに提示し、ユーザがアプリ詳細情報に基づいてアプリを選択する場合について説明する。
【０１８２】
本実施の形態の移動局と基地局が通信するための通信フレームフォーマットは、図３０、図３１、図３２、図３４、図３６と同様である。以下、この通信フレームフォーマットを例にして本発明の実施の形態について説明する。
【０１８３】
本発明の実施の形態６に係る基地局の概略構成については、図１８に示した構成と同様であるため、図１８を代用する。
【０１８４】
図２４は、本発明の実施の形態６に係る移動局の概略構成を示すブロック図である。ただし、この図において、図１１と共通する部分は図１１と同一の符号を付し、その詳しい説明は省略する。図２４が図１１と異なる点は、移動局通信接続部５０２を移動局通信接続部７０１に変更した点と、通信周波数選定部６０１を通信周波数選定部７０２に変更した点と、である。
【０１８５】
移動局通信接続部７０１は、通信接続前に基地局１４００が報知する基地局アプリ詳細情報を、移動局変復調部２０４及び通信周波数選定部７０２を介して取得する。
【０１８６】
通信周波数選定部７０２は、周波数リストにある全ての周波数をスキャンし、各通信周波数とそれに対応する基地局から報知されたアプリ詳細情報を取得し、移動局通信接続部７０１に通知する。
【０１８７】
次に、周波数選定動作について図２５から図２７を用いて説明する。図２５から図２７は、通信周波数選定部７０２の通信周波数選定動作を示すフロー図である。なお、図２５から図２７は、一連の通信周波数選定動作を３図に渡って記載したものであり、１から７はそれぞれ対応するものである。これらの図において、ｋは１〜Ｎ（Ｎ：選定対象チャネル数）とする。
【０１８８】
図２５において、ＳＴ２００１では、通信周波数選定部７０２がＦkについて基地局から受信したアプリ詳細情報を記憶しているＦk＿アプリ詳細リストを初期化する。ＳＴ２００２では、Ｆk＿ＦＩＤリストを初期化し、保存していたＦＩＤ３０４の履歴を消去する。ＳＴ２００３では、ｋを「１」に設定する。ＳＴ２００４では、Ｆkｃｏｕｎｔを「０」に設定し、ＳＴ２００５において、通信周波数選定部７０２が移動局変復調部２０４に周波数Ｆkを設定する。ＳＴ２００６では、通信周波数選定部７０２に内蔵されているタイマーを所定時間設定し、タイマーをスタートする。ＳＴ２００７では、通信周波数選定部７０２が移動局変復調部２０４で受信した信号（周波数Ｆk）の受信レベルを測定する。
【０１８９】
ＳＴ２００８では、ＳＴ２００７において測定した受信レベルと所定の閾値との閾値判定を行う。受信レベルが所定の閾値以上のとき、ＳＴ２００９に移行し、受信レベルが所定の閾値未満のとき、ＳＴ２０１３に移行する。ＳＴ２００９では、ＦＣＭＣ５の受信に成功したか否かが判定され、成功したと判定されたとき、ＳＴ２０１０に移行し、成功しなかったと判定されたとき、ＳＴ２０１３に移行する。ＳＴ２０１０では、Ｆk＿ＦＩＤリストにＳＴ２００９において受信したＦＣＭＣ５に含まれるＦＩＤ９が存在するか否かが判定される。Ｆk＿ＦＩＤリストに存在すると判定されたとき、ＳＴ２０１１に移行し、Ｆk＿ＦＩＤに存在しないと判定されたとき、ＳＴ２０１２に移行する。ＳＴ２０１１では、Ｆkｃｏｕｎｔをインクリメントし、ＳＴ２０１３に移行する。ＳＴ２０１２では、ＳＴ２０１０においてＦk＿ＦＩＤリストに存在しないと判定されたＦＩＤ９をＦk＿ＦＩＤリストに登録し、ＳＴ２０１３に移行する。ＳＴ２０１３では、Ｆkｃｏｕｎｔが設定値を超えるか否かが判定され、設定値を超えると判定されたとき、ＳＴ２０１７に移行し、設定値を超えないと判定されたとき、ＳＴ２０１４に移行する。
【０１９０】
ＳＴ２０１４では、タイムアウトか否かが判定され、タイムアウトと判定されたとき、ＳＴ２０１５に移行し、タイムアウトと判定されなかったとき、ＳＴ２００７に戻る。ＳＴ２０１５では、ｋをインクリメントし、ＳＴ２０１６において、ｋがＮを超えるか否かが判定される。ｋがＮを超えると判定されたとき、図２７のＳＴ２０３２に移行し、ｋがＮを超えないと判定されたとき、ＳＴ２００４に戻る。
【０１９１】
ＳＴ２０１７では、強制モード識別ビット１２０１が「０」であるか否かが判定される。「０」であると判定されたときは、強制モードであるとしてＳＴ２０１８に移行し、「０」ではないと判定されたときは、通常モードであるとして図２６のＳＴ２０１９に移行する。ＳＴ２０１８では、通信周波数選定部７０１がユーザにアプリ選択プロセスを行わせず、強制的に通信接続を行うように移動局通信接続部７０１に通知する。
【０１９２】
図２６において、ＳＴ２０１９では、アプリ報知ビット１６０１が「０」であるか否かが判定される。アプリ報知ビット１６０１が「０」ではないと判定されたときは、アプリ詳細情報ありを示しており、ＳＴ２０２０に移行する。アプリ報知ビット１６０１が「０」であると判定されたときは、アプリ詳細情報なしを示しており、図２７のＳＴ２０２９に移行する。
【０１９３】
ＳＴ２０２０では、アプリ詳細情報が受信できたか否かが判定され、受信できたと判定されたとき、ＳＴ２０２１に移行し、受信できなかったと判定されたとき、ＳＴ２０２２に移行する。ＳＴ２０２１では、受信したアプリ詳細情報をＦk＿アプリ詳細リストに登録し、ＳＴ２０２３に移行する。一方、ＳＴ２０２２では、タイムアウトか否かが判定され、タイムアウトと判定されたときは、ＳＴ２０２３に移行し、タイムアウトではないと判定されたときは、ＳＴ２０２０に戻り、タイムアウトになるまでアプリ詳細情報の受信を確認し続ける。
【０１９４】
ＳＴ２０２３では、ｋをインクリメントし、ＳＴ２０２４では、ｋがＮを超えるか否かが判定される。ｋがＮを超えると判定されたとき、ＳＴ２０２５に移行し、ｋがＮを超えないと判定されたとき、図２５のＳＴ２００４に戻る。ＳＴ２０２５では、アプリリストにアプリ詳細情報が登録されているか否かが判定され、登録されているときは、ＳＴ２０２６に移行し、登録されていないときは、図２５のＳＴ２００３に移行する。ＳＴ２０２６では、Ｆk＿アプリ詳細リストを移動局通信接続部７０１に通知する。ＳＴ２０２７では、移動局通信接続部７０１が通信周波数選定部７０２から取得したＡＰＩ１３内のＡＩＤを抽出し、アプリ処理部２０１が記憶しているアプリリストと比較照合する。比較の結果、アプリリストに一致するＡＩＤが存在しないとき、移動局通信接続部５０２は通信周波数選定部７０２に周波数Ｆkでの起動を許可しない旨を通知し、図２５のＳＴ２００１に戻る。アプリリストに一致するＡＩＤが存在するとき、一致したＡＩＤが示すアプリ情報をユーザに通知し、ＳＴ２０２８では、通信周波数選定部７０２がユーザ選択アプリに対応する通信周波数を移動局変復調部２０４に設定する。
【０１９５】
ＳＴ２０１９において、アプリ報知ビット１６０１が「０」、すなわち、アプリ詳細情報なしが通知されたとき、図２７のＳＴ２０２９では、周波数Ｆkで受信したＦＣＭＣ５に格納されているＡＰＩ１３が示すアプリをＦk＿アプリリストに登録する。ＳＴ２０３０では、ｋをインクリメントし、ＳＴ２０３１では、ｋがＮを超えるか否かが判定される。ｋがＮを超えると判定されたとき、すなわち、周波数リストの全ての周波数を選定判定したとき、ＳＴ２０３２に移行し、ｋがＮを超えないと判定されたとき、すなわち、周波数リストの全ての周波数を選定判定していないとき、図２５のＳＴ２００４に戻り、選定判定を繰り返す。ＳＴ２０３２では、アプリリストに登録されているか否かが判定される。登録されていると判定されれば、ＳＴ２０３３に移行し、登録されていないと判定されれば図２５のＳＴ２００３に戻る。ＳＴ２０３３では、通信周波数選定部７０２がアプリリストを移動局通信接続部７０１に通知する。ＳＴ２０３４では、移動局通信接続部７０１が通信周波数選定部７０２から取得したＡＰＩ１３内のＡＩＤを抽出し、アプリ処理部２０１が記憶しているアプリリストと比較照合する。比較の結果、アプリリストに一致するＡＩＤが存在しないとき、移動局通信接続部７０１は通信周波数選定部７０２に周波数Ｆkでの起動を許可しない旨を通知し、図２５のＳＴ２００１に戻る。アプリリストに一致するＡＩＤが存在するとき、一致したＡＩＤが示すアプリ情報をユーザに通知し、ＳＴ２０３５では、通信周波数選定部７０２がユーザ選択アプリに対応する通信周波数を移動局変復調部２０４に設定する。
【０１９６】
図２８及び図２９は、本発明の実施の形態６に係る路車間通信システムの通信接続手順の一例を示したシーケンス図であり、ＳＴ２１０１〜ＳＴ２１１８は通信周波数選定部７０２の周波数選定動作中の手順である。以下の説明では、図２５から図２７で説明した手順を一部対応させながら説明する。なお、図２８では通信周波数選定部７０２が周波数選定動作を開始した時点からの手順を示している。また、図２８及び図２９は、一連の通信接続手順を２図に渡って記載したものであり、▲１▼から▲３▼はそれぞれ対応するものである。
【０１９７】
図２８において、ＳＴ２１０１では、移動局１９００が移動に伴って、基地局１４００がカバーする通信エリアへ侵入すると、通信周波数選定部７０２が、図２５で示した周波数選定動作のＳＴ２００１〜ＳＴ２００４までの初期化作業を行い、ＳＴ２００５で周波数リスト上位の周波数を選択し、選択した周波数を移動局変復調部２０４に通知する。
【０１９８】
ＳＴ２１０２では、移動局変復調部２０４が通知された周波数に通信周波数を設定し、ＳＴ２１０３では、ＦＣＭＣ５受信を試みる。移動局変復調部２０４は、受信したＦＣＭＣ５の受信レベルを測定し、測定した受信レベル、ＦＣＭＣ５受信の成否、ＦＣＭＣ５受信成功の場合は受信ＦＣＭＣ５のＦＩＤ９、ＡＰＩ１３、ＩＭＩ１２内のアプリ報知ビット１６０１などの情報を定期的に通信周波数選定部７０２に通知する。通信周波数選定部７０２は、図２５のＳＴ２００８〜ＳＴ２０１３に示す比較を繰り返し行い、その周波数が選定基準を満たすか否かを判定する。判定の結果、基準を満たしている場合、ＳＴ２１０４に移行する。
【０１９９】
ＳＴ２１０４では、ＦＣＭＣ５内のＩＭＩ１２に格納されている強制モード識別ビット１２０１を抽出し、強制モードを行うか否かが判定され、強制モードを行わない場合、ＳＴ２１０５に移行する。
【０２００】
ＳＴ２１０５では、ＦＣＭＣ５内のＩＭＩ１２に格納されているアプリ報知ビット１６０１を抽出し、アプリ報知ビット１６０１がアプリ詳細情報ありを示している場合には、基地局１４００から報知されるアプリ詳細情報の受信をタイムアウトまで待ち（図２６のＳＴ２０２０及びＳＴ２０２２に対応）、ＳＴ２１０６に移行する。
【０２０１】
なお、本実施の形態では、アプリ報知ビット１６０１の値が「１」の場合、ユーザへのアプリ詳細情報通知を行い、アプリ報知ビット１６０１が「０」の場合、ユーザへのアプリ詳細情報通知を行わないものとする。
【０２０２】
また、移動局１９００がユーザ選択プロセスを行うか否かの決定は、例えば、予めユーザがユーザアプリ選択プロセス実施の可否を設定するようにし、強制モード識別ビット１２０１に関係なく事前のユーザの設定に従ってユーザアプリ選択プロセスを行うか否かを決定してもよい。これにより、ユーザはアプリ毎、あるいは、全アプリのユーザアプリ選択プロセス実施の可否を基地局からの要望（強制モードの要求）とは無関係に事前に設定することができる。
【０２０３】
ＳＴ２１０６では、基地局１４００がアプリ詳細情報を送信するための空き通信スロットに一斉同報リンクアドレスと共に下りＭＤＣ６を割り付ける。なお、ここでは一斉同報リンクアドレスを用いて下りＭＤＣ６を割り付けるとしたが、グループ同報リンクアドレスを用いて割り付けてもよい。
【０２０４】
ＳＴ２１０７では、例えば、ＦＣＭＣ５内のＳＣＩ１１に下りＭＤＣ６を割り付けた場合、移動局変復調部２０４がＦＣＭＣ５内のＳＣＩ１１のＬＩＤ１３−１に一斉同報リンクアドレスを認識し、ＳＣＩ１１に対応するＭＤＳにおいてＭＤＣ６（アプリ詳細情報）を受信する。
【０２０５】
ＳＴ２１０８では、ＭＤＣ６（アプリ詳細情報）を受信した移動局変復調部２０４が通信周波数選定部７０２にアプリ詳細情報を転送する。
【０２０６】
ＳＴ２１０９では、アプリ詳細情報を取得した通信周波数選定部７０２がアプリ詳細情報をＡＩＤと対応させアプリ詳細リストに登録する（図２６のＳＴ２０２１に対応）。周波数リストにある他の周波数についても同様な動作を行い、ＳＴ２１１０では、全周波数の動作が完了した時点でアプリ詳細リストのデータを移動局通信接続部７０１に通知する（図２６のＳＴ２０２６に対応）。なお、この時点でアプリ詳細リストに登録されているアプリ詳細情報がない場合は、通信周波数選定動作を周波数リスト最上位からやりなおす（図２５のＳＴ２００３に対応）。
【０２０７】
図２９において、ＳＴ２１１１では、アプリ詳細リストを取得した移動局通信接続部７０１がアプリ詳細リストにあるＡＩＤを抽出し、移動局の電源投入時に記憶、保持していた移動局アプリ処理部２０１が実施可能なアプリリストと抽出したＡＩＤが示すアプリとを比較する。比較の結果、一致するＡＩＤが存在しないとき、移動局通信接続部７０１は通信周波数選定部７０２に対して、周波数起動不許可を通知し、通信周波数選定動作を初めから開始するよう指示する（図２５及び図２６のＳＴ２０２７〜ＳＴ２００１に対応）。比較の結果、一致するＡＩＤが存在するとき、ＳＴ２１１２に移行する。
【０２０８】
ＳＴ２１１２では、移動局通信接続部７０１がアプリ起動選択部２０６にＳＴ２１１１で一致したＡＩＤのアプリ詳細情報を通知すると共にユーザへアプリ選択の要求を行うように指示する。
【０２０９】
ＳＴ２１１３では、アプリ起動選択部２０６が、インタフェース装置２５０に対して実行可能なアプリ詳細情報を通知すると共にユーザへアプリを選択するよう要求する。インタフェース装置２５０は、基地局が実行可能なアプリ詳細情報をユーザへ提示すると共にアプリ選択要求を行う。
【０２１０】
ＳＴ２１１４では、ユーザが実施するアプリ選択を選択し、ＳＴ２１１５では、インタフェース装置２５０がユーザにより選択されたアプリをアプリ起動選択部２０６に通知する。なお、この時、ユーザへは選択可能なアプリの単位が通信周波数毎に提示され、ユーザが複数のアプリを選択する際、異なる通信周波数で実施されることになるアプリを選択できないように提示してもよい。これにより、ユーザは同時に享受可能なサービスしか選択できず、無駄な選択動作を減少させることができる。
【０２１１】
ＳＴ２１１６では、アプリ起動選択部２０６がユーザにより選択されたアプリを移動局通信接続部７０１に通知する。ＳＴ２１１７では、移動局通信接続部７０１が通知されたアプリを記憶し、通常通信接続動作時の受信ＢＳＴ内のアプリとの比較やＶＳＴ生成等に使用する。なお、アプリ起動選択部２０６から通知されたユーザ選択アプリがない場合（ユーザがアプリの実施を拒否する選択をした場合）、移動局通信接続部７０１は、通信周波数選定部７０２に対して周波数の起動不許可を通知し、通信周波数選定動作を初めから開始するよう指示する（図２５及び図２６のＳＴ２０２７及びＳＴ２００１に対応）。また、通知されたユーザ選択アプリがある場合、ＳＴ２１１８において移動局通信接続部７０１は、通信周波数選定部７０２に対して通信周波数の起動許可を通知する（図２６のＳＴ２０２７に対応）。
【０２１２】
図２８において、ＳＴ２１１９では、通信周波数の起動許可を取得した通信周波数選定部７０２が、許可された通信周波数の設定を移動局変復調部２０４に通知する（図２６のＳＴ２０２８に対応）。
【０２１３】
図２９において、ＳＴ２１２０では、ユーザ選択アプリを記憶した移動局通信接続部７０１が、図４１及び図４２のＳＴ７３以降の手順と同様な通信接続動作を行う。
【０２１４】
このように本実施の形態によれば、移動局が移動に伴って、複数の基地局が異なる周波数でサービスを実施する通信エリア内に進入した場合でも、ユーザは移動局の周波数選定部動作時に、異なる通信周波数でサービスを実施している全ての基地局が提供可能な全アプリの詳細情報からユーザが所望するアプリを選択することができる。また、基地局は、従来の基地局の構成をそのまま用いて強制的に移動局と接続し、緊急に移動局に知らせる必要のあるアプリを移動局に提供することができる。
【０２１５】
【発明の効果】
以上説明しように、本発明によれば、路車間通信システムにおいて、基地局が提供するアプリケーション情報をユーザに提示し、提示されたアプリケーション情報からユーザによってアプリケーションの選択及びその実行可否が判断された結果に従ってアプリケーションの起動を行うことにより、基地局が移動局に提供するアプリケーションの中からユーザが所望するアプリケーションの選択を行うことができる。
【図面の簡単な説明】
【図１】本発明の実施の形態１に係る基地局の概略構成を示すブロック図
【図２】本発明の実施の形態１に係る移動局の概略構成を示すブロック図
【図３】本発明の実施の形態１に係る路車間通信システムにおける通信接続手順の一例を示すシーケンス図
【図４】本発明の実施の形態１に係る路車間通信システムにおける通信接続手順の一例を示すシーケンス図
【図５】本発明の実施の形態２に係る移動局の概略構成を示すブロック図
【図６】本発明の実施の形態２に係る路車間通信システムにおける通信接続手順の一例を示すシーケンス図
【図７】本発明の実施の形態３に係る移動局の概略構成を示すブロック図
【図８】本発明の実施の形態３に係る通信周波数選定部の周波数選定動作を示すフロー図
【図９】本発明の実施の形態３に係る路車間通信システムにおける通信接続手順の一例を示すシーケンス図
【図１０】本発明の実施の形態３に係る路車間通信システムにおける通信接続手順の一例を示すシーケンス図
【図１１】本発明の実施の形態４に係る移動局の概略構成を示すブロック図
【図１２】本発明の実施の形態４に係る通信周波数選定部の周波数選定動作を示すフロー図
【図１３】本発明の実施の形態４に係る通信周波数選定部の周波数選定動作を示すフロー図
【図１４】本発明の実施の形態４に係る路車間通信システムにおける通信接続手順の一例を示すシーケンス図
【図１５】本発明の実施の形態４に係る路車間通信システムにおける通信接続手順の一例を示すシーケンス図
【図１６】ＩＭＩの構成を示す図
【図１７】本発明の実施の形態４に係る通信周波数選定部の周波数選定動作を示すフロー図
【図１８】本発明の実施の形態５に係る基地局の概略構成を示すブロック図
【図１９】本発明の実施の形態５に係る移動局の概略構成を示すブロック図
【図２０】ＩＭＩの構成を示す図
【図２１】本発明の実施の形態５に係る路車間通信システムにおける通信接続手順の一例を示すシーケンス図
【図２２】本発明の実施の形態５に係る路車間通信システムにおける通信接続手順の一例を示すシーケンス図
【図２３】アプリ詳細リストの一例を示す図
【図２４】本発明の実施の形態６に係る移動局の概略構成を示すブロック図
【図２５】本発明の実施の形態６に係る通信周波数選定部の周波数選定動作を示すフロー図
【図２６】本発明の実施の形態６に係る通信周波数選定部の周波数選定動作を示すフロー図
【図２７】本発明の実施の形態６に係る通信周波数選定部の周波数選定動作を示すフロー図
【図２８】本発明の実施の形態６に係る路車間通信システムにおける通信接続手順の一例を示すシーケンス図
【図２９】本発明の実施の形態６に係る路車間通信システムにおける通信接続手順の一例を示すシーケンス図
【図３０】従来における通信フレームの概念図
【図３１】ＦＣＭＣの構成を示す図
【図３２】ＳＣの構成を示す図
【図３３】ＡＰＩの構成を示す図
【図３４】ＳＣＩの構成を示す図
【図３５】ＣＩの構成を示す図
【図３６】ＡＣＴＣの構成を示す図
【図３７】従来の基地局の構成を示すブロック図
【図３８】従来の移動局の構成を示すブロック図
【図３９】従来の移動局の電源投入時の動作を示すシーケンス図
【図４０】従来の周波数選定部の周波数選定動作を示すフロー図
【図４１】従来の路車間通信システムにおける周波数選定後の通信接続手順を示すシーケンス図
【図４２】従来の路車間通信システムにおける周波数選定後の通信接続手順を示すシーケンス図
【符号の説明】
１０１、１４０１  基地局アプリ処理部
１０２  基地局通信接続部
１０３、１４０２  基地局データ転送部
１０４  基地局変復調部
２０１  移動局アプリ処理部
２０２、４０２、５０２、１５０１、７０１  移動局通信接続部
２０３  移動局データ転送部
２０４  移動局変復調部
２０５、４０１、５０１、６０１、７０２  通信周波数選定部
２０６  アプリ起動選択部
２５０  インタフェース装置
１２０１  強制モード識別ビット
１４０３  アプリ情報提供部
１６０１  アプリ報知ビット
【図１】
0004124613.tif 000002
【図２】
0004124613.tif 000003
【図３】
0004124613.tif 000004
【図４】
0004124613.tif 000005
【図５】
0004124613.tif 000006
【図６】
0004124613.tif 000007
【図７】
0004124613.tif 000008
【図８】
0004124613.tif 000009
【図９】
0004124613.tif 000010
【図１０】
0004124613.tif 000011
【図１１】
0004124613.tif 000012
【図１２】
0004124613.tif 000013
【図１３】
0004124613.tif 000014
【図１４】
0004124613.tif 000015
【図１５】
0004124613.tif 000016
【図１６】
0004124613.tif 000017
【図１７】
0004124613.tif 000018
【図１８】
0004124613.tif 000019
【図１９】
0004124613.tif 000020
【図２０】
0004124613.tif 000021
【図２１】
0004124613.tif 000022
【図２２】
0004124613.tif 000023
【図２３】
0004124613.tif 000024
【図２４】
0004124613.tif 000025
【図２５】
0004124613.tif 000026
【図２６】
0004124613.tif 000027
【図２７】
0004124613.tif 000028
【図２８】
0004124613.tif 000029
【図２９】
0004124613.tif 000030
【図３０】
0004124613.tif 000031
【図３１】
0004124613.tif 000032
【図３２】
0004124613.tif 000033
【図３３】
0004124613.tif 000034
【図３４】
0004124613.tif 000035
【図３５】
0004124613.tif 000036
【図３６】
0004124613.tif 000037
【図３７】
0004124613.tif 000038
【図３８】
0004124613.tif 000039
【図３９】
0004124613.tif 000040
【図４０】
0004124613.tif 000041
【図４１】
0004124613.tif 000042
【図４２】
0004124613.tif 000043